(57)【要約】  多重周波数ネットワークにおけるＲＦハンドオフのための方法および装置。一態様では、方法は、現在のＬＯＩと、現在のＬＯＩと少なくとも同じ広域コンテンツ多重化および局所コンテンツ多重化を運んでいる近傍のＬＯＩとを含むコンテンツ保存ハンドオフテーブルを生成することと、コンテンツ保存ハンドオフに関するハンドオフ条件が満たされていることを決定することと、コンテンツ保存ハンドオフテーブルからの選択されたＬＯＩと、その選択されたＬＯＩに関連する選択されたＲＦチャネルとを選択することと、選択されたＬＯＩが現在のＬＯＩと異なる場合、選択されたＬＯＩ内の選択されたＲＦチャネルへのハンドオフを実行することとを含む。装置は、コンテンツ保存ハンドオフテーブルを生成するための手段と、コンテンツ保存ハンドオフに関するハンドオフ条件が満たされていることを決定するための手段と、選択されたＬＯＩと、選択されたＲＦチャネルとを選択するための手段と、選択されたＬＯＩ内の選択されたＲＦチャネルへのハンドオフを実行するための手段とを含む。
2010531123.tif 000002
【特許請求の範囲】
【請求項１】
多重周波数ネットワークにおけるＲＦチャネルハンドオフのための方法、該方法は下記を備える：
現在のＬＯＩと、前記現在のＬＯＩと少なくとも同じ広域コンテンツ多重化および局所コンテンツ多重化を運んでいる近傍のＬＯＩとを備えるコンテンツ保存ハンドオフテーブルを生成すること；
コンテンツ保存ハンドオフに関するハンドオフ条件が満たされていることを決定すること；
前記コンテンツ保存ハンドオフテーブルから選択されたＬＯＩと、前記選択されたＬＯＩに関連する選択されたＲＦチャネルとを選択すること；および、
前記選択されたＬＯＩが前記現在のＬＯＩと異なる場合、前記選択されたＬＯＩ内の前記選択されたＲＦチャネルへのハンドオフを実行すること。
【請求項２】
前記決定することが、下記を備える請求項１に記載の方法：
下記の場合に前記コンテンツ保存ハンドオフ条件が満たされていると判定すること、
１つもしくは複数のフローが登録されている場合、
リアルタイムフローが、現在アクティブでない場合、
登録されたフローが、現在復号されていない場合、
前記現在のＬＯＩ内に少なくとも１つの良好なＲＦが存在する場合、
前記現在のＬＯＩ内に少なくとも１つの不良なＲＦが存在する場合、または前記現在のＬＯＩ内に、選択された良好なＲＦしきい値未満の信号強度を有する少なくとも１つの良好なＲＦが存在する場合、および
現在の時間から選択された時間ウィンドウまでに、登録されたフローに関するコンテンツのブロードキャストが開始されない場合。
【請求項３】
前記選択することが下記を備える請求項１に記載の方法：
前記現在のＬＯＩ内および前記近傍のＬＯＩ内のＲＦ信号強度ならびに多重化の総数に基づいて、それぞれのＬＯＩをランク付けすること；および、
最高のランクを有するＬＯＩであるとして前記選択されたＬＯＩを選択すること。
【請求項４】
前記選択することが、下記を備える請求項１に記載の方法：
前記現在のＬＯＩ内の現在のＲＦチャネルと少なくとも同じ広域多重化を運ぶ、前記選択されたＬＯＩ内のＲＦチャネルであるとして前記選択されたＲＦチャネルを選択すること。
【請求項５】
前記選択することが下記を備える請求項１に記載の方法：
前記現在のＬＯＩ内の現在のＲＦチャネルと同じ広域コンテンツ多重化および局所コンテンツ多重化を運ぶ、前記選択されたＬＯＩ内のＲＦチャネルであるとして前記選択されたＲＦチャネルを選択すること。
【請求項６】
さらに下記を備える請求項３に記載の方法：
成功裏のコンテンツ保存ハンドオフが発生するまで、前記コンテンツ保存ハンドオフテーブル内の前記現在のＬＯＩよりもより高いランクを有するそれぞれのＬＯＩに対して一度ずつ下記の動作を実行すること：
２番目に高いランクを有し、かつ前記選択されたＬＯＩに関連する選択されたＲＦチャネルを有するＬＯＩであるとして前記選択されたＬＯＩを選択する動作；および
前記選択されたＬＯＩ内の前記選択されたＲＦチャネルへのハンドオフを実行する動作。
【請求項７】
前記ランク付けすることが下記をさらに備える、請求項３に記載の方法：
その信号強度が選択されたしきい値より高い場合、ＲＦチャネルに重み１を割り当てること；
その信号強度が選択されたしきい値より高くない場合、前記ＲＦチャネルに重み０を割り当てること；
現在のＬＯＩと同じコンテンツ多重化を運ぶ、ＬＯＩ内のＲＦチャネルに割り当てられた重みを合計することによって、前記ＬＯＩに関する「重みの合計」を決定することと、
より高い重みの合計を有するＬＯＩにより高いランクを割り当てること；および、
同じ「重みの合計」を有するＬＯＩのうち、より多い総数の広域コンテンツ多重化および局所コンテンツ多重化を有するＬＯＩにより高いランクを割り当てること。
【請求項８】
それぞれ、広域コンテンツ多重化および局所コンテンツ多重化に関して、ＲＦチャネルに別々の重みを割り当てることをさらに備える、請求項７に記載の方法。
【請求項９】
多重周波数ネットワークにおけるＲＦチャネルハンドオフのための装置、該装置は下記を備える：
下記を実行するように構成された処理ロジック：
現在の局所オペレーションインフラストラクチャ（ＬＯＩ）と、前記現在のＬＯＩと少なくとも同じ広域コンテンツ多重化および局所コンテンツ多重化を運んでいる近傍のＬＯＩとを備えるコンテンツ保存ハンドオフテーブルを生成すること、
コンテンツ保存ハンドオフに関するハンドオフ条件が満たされていることを決定すること、
前記コンテンツ保存ハンドオフテーブルから選択されたＬＯＩと、前記選択されたＬＯＩに関連する選択されたＲＦチャネルとを選択すること；および、
下記を実行するように構成されたチャネル切替ロジック：
前記選択されたＬＯＩが前記現在のＬＯＩと異なる場合、前記選択されたＬＯＩ内の前記選択されたＲＦチャネルへのハンドオフ。
【請求項１０】
下記の場合に前記コンテンツ保存ハンドオフ条件が満たされていると判定するように前記処理ロジックが構成された、請求項９に記載の装置：
１つもしくは複数のフローが登録されている場合、
リアルタイムフローが、現在アクティブでない場合、
登録されたフローが、現在復号されていない場合、
前記現在のＬＯＩ内に少なくとも１つの良好なＲＦが存在する場合、
前記現在のＬＯＩ内に少なくとも１つの不良なＲＦが存在する場合、または前記現在のＬＯＩ内に、選択された良好なＲＦしきい値未満の信号強度を有する少なくとも１つの良好なＲＦが存在する場合、および
現在の時間から選択された時間ウィンドウまでに、登録されたフローに関するコンテンツのブロードキャストが開始されない場合。
【請求項１１】
前記処理ロジックが下記を実行するように構成された、請求項９に記載の装置：
前記現在のＬＯＩ内および前記近傍のＬＯＩ内のＲＦ信号強度ならびに多重化の総数に基づいて、それぞれのＬＯＩをランク付けすること；および、
最高のランクを有するＬＯＩとして前記選択されたＬＯＩを選択すること。
【請求項１２】
前記処理ロジックが下記を実行するように構成された、請求項９に記載の装置：
前記現在のＬＯＩ内の現在のＲＦチャネルと少なくとも同じ広域多重化を運ぶ前記選択されたＬＯＩ内のＲＦチャネルであるとして、前記選択されたＲＦチャネルを選択する。
【請求項１３】
請求項１１に記載の装置、ここで、前記処理ロジックは、成功裏のコンテンツ保存ハンドオフが発生するまで、前記コンテンツ保存ハンドオフテーブル内の前記現在のＬＯＩよりもより高いランクを有するそれぞれのＬＯＩに対して、下記の動作を一度ずつ実行するように構成されている：
２番目に高いランクを有し、かつ前記選択されたＬＯＩに関連する選択されたＲＦチャネルを有するＬＯＩであるとして前記選択されたＬＯＩを選択する動作；および、
前記選択されたＬＯＩ内の前記選択されたＲＦチャネルへのハンドオフを実行する動作。
【請求項１４】
前記処理ロジックが下記を実行するように構成された、請求項１１に記載の装置：
その信号強度が選択されたしきい値より高い場合、ＲＦチャネルに重み１を割り当てること；
その信号強度が選択されたしきい値より高くない場合、前記ＲＦチャネルに重み０を割り当てること；
現在のＬＯＩと同じコンテンツ多重化を運ぶ、ＬＯＩ内のＲＦチャネルに割り当てられた重みを合計することによって、前記ＬＯＩに関する「重みの合計」を決定すること；
より高い重みの合計を有するＬＯＩにより高いランクを割り当てること；および、
同じ「重みの合計」を有するＬＯＩのうち、より多い総数の広域コンテンツ多重化および局所コンテンツ多重化を有するＬＯＩにより高いランクを割り当てること。
【請求項１５】
多重周波数ネットワークにおけるＲＦチャネルハンドオフのための装置、該装置は下記を備える：
現在の局所オペレーションインフラストラクチャ（ＬＯＩ）と、前記現在のＬＯＩと少なくとも同じ広域コンテンツ多重化および局所コンテンツ多重化を運んでいる近傍のＬＯＩとを備えるコンテンツ保存ハンドオフテーブルを生成するための手段；
コンテンツ保存ハンドオフに関するハンドオフ条件が満たされていることを決定するための手段；
前記コンテンツ保存ハンドオフテーブルから選択されたＬＯＩと、前記選択されたＬＯＩに関連する選択されたＲＦチャネルとを選択するための手段；および、
前記選択されたＬＯＩが前記現在のＬＯＩと異なる場合、前記選択されたＬＯＩ内の前記選択されたＲＦチャネルへのハンドオフを実行するための手段。
【請求項１６】
請求項１５に記載に記載の装置、ここで、前記決定するための前記手段が、下記の場合において前記コンテンツ保存ハンドオフ条件が満たされていると判定するための手段を備える：
１つもしくは複数のフローが登録されている場合、
リアルタイムフローが、現在アクティブでない場合、
登録されたフローが、現在復号されていない場合、
前記現在のＬＯＩ内に少なくとも１つの良好なＲＦが存在する場合、
前記現在のＬＯＩ内に少なくとも１つの不良なＲＦが存在する場合、または前記現在のＬＯＩ内に、選択された良好なＲＦしきい値未満の信号強度を有する少なくとも１つの良好なＲＦが存在する場合、および
現在の時間から選択された時間ウィンドウまでに、登録されたフローに関するコンテンツのブロードキャストが開始されない場合。
【請求項１７】
請求項１５に記載の装置、ここで、前記選択するための前記手段が下記を備える：
前記現在のＬＯＩ内および前記近傍のＬＯＩ内のＲＦ信号強度ならびに多重化の総数に基づいて、それぞれのＬＯＩをランク付けするための手段；および、
最高のランクを有するＬＯＩであるとして前記選択されたＬＯＩを選択するための手段。
【請求項１８】
前記選択するための前記手段が下記を備える、請求項１５に記載の装置：
前記現在のＬＯＩ内の現在のＲＦチャネルと少なくとも同じ広域多重化を運ぶ前記選択されたＬＯＩ内のＲＦチャネルであるとして、前記選択されたＲＦチャネルを選択するための手段。
【請求項１９】
成功裏のコンテンツ保存ハンドオフが発生するまで、前記コンテンツ保存ハンドオフテーブル内の前記現在のＬＯＩよりもより高いランクを有するそれぞれのＬＯＩに対して、下記の動作を一度ずつ実行するための手段をさらに備える、請求項１７に記載の装置：
２番目に高いランクを有し、かつ前記選択されたＬＯＩに関連する選択されたＲＦチャネルを有するＬＯＩであるとして前記選択されたＬＯＩを選択する動作；および、
前記選択されたＬＯＩ内の前記選択されたＲＦチャネルへのハンドオフを実行する動作。
【請求項２０】
前記ランク付けするための前記手段が下記をさらに備える請求項１７に記載の方法：
その信号強度が選択されたしきい値より高い場合、ＲＦチャネルに重み１を割り当てるための手段；
その信号強度が選択されたしきい値より高くない場合、前記ＲＦチャネルに重み０を割り当てるための手段；
現在のＬＯＩと同じコンテンツ多重化を運ぶ、ＬＯＩ内のＲＦチャネルに割り当てられた重みを合計することによって、前記ＬＯＩに関する「重みの合計」を決定するための手段；
より高い重みの合計を有するＬＯＩにより高いランクを割り当てるための手段；および、
同じ「重みの合計」を有するＬＯＩのうち、より多い総数の広域コンテンツ多重化および局所コンテンツ多重化を有するＬＯＩにより高いランクを割り当てるための手段。
【請求項２１】
多重周波数ネットワークにおけるＲＦチャネルハンドオフのためのコンピュータプログラム製品、該コンピュータプログラム製品は機械可読媒体を備え、該機械可読媒体は下記を備える：
コンピュータに、現在のＬＯＩと、前記現在のＬＯＩと少なくとも同じ広域コンテンツ多重化および局所コンテンツ多重化を運んでいる近傍のＬＯＩとを備えるコンテンツ保存ハンドオフテーブルを生成させるための第１のコードセットと、
コンピュータにコンテンツ保存ハンドオフに関するハンドオフ条件が満たされていることを判定させるための第２のコードセットと、
コンピュータに、前記コンテンツ保存ハンドオフテーブルから選択されたＬＯＩと、前記選択されたＬＯＩに関連する選択されたＲＦチャネルとを選択させるための第３のコードセットと、
前記選択されたＬＯＩが前記現在のＬＯＩと異なる場合、コンピュータに前記選択されたＬＯＩ内の前記選択されたＲＦチャネルへのハンドオフを実行させるための第４のコードセット。
【請求項２２】
請求項２１に記載の機械可読媒体、ここで、前記第２のコードセットは、下記の場合において前記コンテンツ保存ハンドオフ条件が満たされていると前記コンピュータに判定させるように構成される：
１つもしくは複数のフローが登録されている場合、
リアルタイムフローが、現在アクティブでない場合、
登録されたフローが、現在復号されていない場合、
前記現在のＬＯＩ内に少なくとも１つの良好なＲＦが存在する場合、
前記現在のＬＯＩ内に少なくとも１つの不良なＲＦが存在する場合、または前記現在のＬＯＩ内に、選択された良好なＲＦしきい値未満の信号強度を有する少なくとも１つの良好なＲＦが存在する場合、および
現在の時間から選択された時間ウィンドウまでに、登録されたフローに関するコンテンツのブロードキャストが開始されない場合。
【請求項２３】
前記第３のコードセットが下記をさらに備える請求項２１に記載の機械可読媒体：
前記コンピュータに、前記現在のＬＯＩ内および前記近傍のＬＯＩ内のＲＦ信号強度ならびに多重化の総数に基づいて、それぞれのＬＯＩをランク付けさせるための第５のコードセット；および、
前記コンピュータに、最高のランクを有するＬＯＩであるとして前記選択されたＬＯＩを選択させるための第６のコードセット。
【請求項２４】
請求項２１に記載の機械可読媒体、ここで、
前記現在のＬＯＩ内の現在のＲＦチャネルと少なくとも同じ広域多重化を運ぶ前記選択されたＬＯＩ内のＲＦチャネルであるとして、前記選択されたＲＦチャネルを前記コンピュータに選択させるように前記第３のコードセットが構成されている。
【請求項２５】
成功裏のコンテンツ保存ハンドオフが発生するまで、前記コンテンツ保存ハンドオフテーブル内の前記現在のＬＯＩよりもより高いランクを有するそれぞれのＬＯＩに対して、前記コンピュータに下記の動作を一度ずつ実行させるように構成された第７のコードセットをさらに備える請求項２３に記載の機械可読媒体：
２番目に高いランクを有し、かつ前記選択されたＬＯＩに関連する選択されたＲＦチャネルを有するＬＯＩであるとして前記選択されたＬＯＩを選択する動作；および
前記選択されたＬＯＩ内の前記選択されたＲＦチャネルへのハンドオフを実行する動作。
【請求項２６】
前記第５のコードセットが、前記コンピュータに、下記を実行させるように構成された、請求項２３に記載の機械可読媒体：
その信号強度が選択されたしきい値より高い場合、ＲＦチャネルに重み１を割り当てること；
その信号強度が選択されたしきい値より高くない場合、前記ＲＦチャネルに重み０を割り当てること；
現在のＬＯＩと同じコンテンツ多重化を運ぶ、ＬＯＩ内のＲＦチャネルに割り当てられた重みを合計することによって、前記ＬＯＩに関する「重みの合計」を決定すること；
より高い重みの合計を有するＬＯＩにより高いランクを割り当てること；および、
同じ「重みの合計」を有するＬＯＩのうち、より多い総数の広域コンテンツ多重化および局所コンテンツ多重化を有するＬＯＩにより高いランクを割り当てること。
【請求項２７】
多重周波数ネットワークにおけるＲＦチャネルハンドオフのために構成された少なくとも１つの集積回路、該少なくとも一つの集積回路は下記を備える：
現在のＬＯＩと、前記現在のＬＯＩと少なくとも同じ広域コンテンツ多重化および局所コンテンツ多重化を運んでいる近傍のＬＯＩとを備えるコンテンツ保存ハンドオフテーブルを生成するように構成された第１のモジュール；
コンテンツ保存ハンドオフに関するハンドオフ条件が満たされていることを決定するように構成された第２のモジュール；
前記コンテンツ保存ハンドオフテーブルから選択されたＬＯＩと、前記選択されたＬＯＩに関連する選択されたＲＦチャネルとを選択するように構成された第３のモジュール；および、
前記選択されたＬＯＩが前記現在のＬＯＩと異なる場合、前記選択されたＬＯＩ内の前記選択されたＲＦチャネルへのハンドオフを実行するように構成された第４のモジュール。
【請求項２８】
下記の場合において前記コンテンツ保存ハンドオフ条件が満たされていると判定するように前記第２のモジュールが構成された、請求項２７記載の少なくとも１つの集積回路：
１つもしくは複数のフローが登録されている場合、
リアルタイムフローが、現在アクティブでない場合、
登録されたフローが、現在復号されていない場合、
前記現在のＬＯＩ内に少なくとも１つの良好なＲＦが存在する場合、
前記現在のＬＯＩ内に少なくとも１つの不良なＲＦが存在する場合、または前記現在のＬＯＩ内に、選択された良好なＲＦしきい値未満の信号強度を備えた少なくとも１つの良好なＲＦが存在する場合、および
現在の時間から選択された時間ウィンドウまでに、登録されたフローに関するコンテンツのブロードキャストが開始されない場合。
【請求項２９】
下記をさらに備える、請求項２７に記載の少なくとも１つの集積回路：
前記現在のＬＯＩ内および前記近傍のＬＯＩ内のＲＦ信号強度ならびに多重化の総数に基づいて、それぞれのＬＯＩをランク付けするように構成された第５のモジュール；および、
最高のランクを有するＬＯＩであるとして前記選択されたＬＯＩを選択するように構成された第６のモジュール。
【請求項３０】
請求項２７に記載の少なくとも１つの集積回路、ここで、前記現在のＬＯＩ内の現在のＲＦチャネルと少なくとも同じ広域多重化を運ぶ前記選択されたＬＯＩ内のＲＦチャネルであるとして、前記選択されたＲＦチャネルを選択するように前記第３のモジュールは構成されている。
【請求項３１】
成功裏のコンテンツ保存ハンドオフが発生するまで、前記コンテンツ保存ハンドオフテーブル内の前記現在のＬＯＩよりもより高いランクを有するそれぞれのＬＯＩに対して、下記の動作を一度ずつ実行するように構成された第７のモジュールをさらに備える請求項２９記載の少なくとも１つの集積回路：
２番目に高いランクを有し、かつ前記選択されたＬＯＩに関連する選択されたＲＦチャネルを有するＬＯＩであるとして前記選択されたＬＯＩを選択する動作；および、
前記選択されたＬＯＩ内の前記選択されたＲＦチャネルへのハンドオフを実行する動作。
【請求項３２】
前記第５のモジュールが下記を実行するように構成された、請求項２９に記載の少なくとも１つの集積回路：
その信号強度が選択されたしきい値より高い場合、ＲＦチャネルに重み１を割り当てること；
その信号強度が選択されたしきい値より高くない場合、前記ＲＦチャネルに重み０を割り当てること；
現在のＬＯＩと同じコンテンツ多重化を運ぶ、ＬＯＩ内のＲＦチャネルに割り当てられた重みを合計することによって、前記ＬＯＩに関する「重みの合計」を決定すること；
より高い重みの合計を有するＬＯＩにより高いランクを割り当てること；および、
同じ「重みの合計」を有するＬＯＩのうち、より多い総数の広域コンテンツ多重化および局所コンテンツ多重化を有するＬＯＩにより高いランクを割り当てること。
【発明の詳細な説明】
【技術分野】
【０００１】
米国特許法第１１９条に基づく優先権主張
本特許出願は、２００８年３月１９日に出願され、譲受人に譲渡され、参照により本明細書に明示的に組み込まれている、「Ｍｅｔｈｏｄｓ  ａｎｄ  Ａｐｐａｒａｔｕｓ  ｆｏｒ  ＲＦ  Ｈａｎｄｏｆｆ  ｉｎ  ａ  Ｍｕｌｔｉ−Ｆｒｅｑｕｅｎｃｙ  Ｎｅｔｗｏｒｋ」という表題の、特許出願第１２／０５１，７５８号、および２００７年６月２０日に出願され、譲受人に譲渡され、参照により本明細書に明示的に組み込まれている、「Ｍｅｔｈｏｄｓ  ａｎｄ  Ａｐｐａｒａｔｕｓ  ｆｏｒ  Ｐｒｏｖｉｄｉｎｇ  Ｈａｎｄｏｆｆ  ｉｎ  ａ  Ｍｕｌｔｉｐｌｅ  Ｆｒｅｑｕｅｎｃｙ  Ｎｅｔｗｏｒｋ」という表題の仮出願第６０／９４５，２９２号の一部継続出願であり、これらの出願の優先権を主張する。
【０００２】
本出願は、一般に、データネットワークの動作に関し、より詳細には、多重周波数ネットワークにおけるＲＦチャネル選択のための方法および装置に関する。
【背景技術】
【０００３】
無線通信ネットワークなどのデータネットワークは、単一の端末のために専用化されたサービスと多数の端末に提供されるサービスの間でトレードオフを行わなければならない。例えば、リソースが限定された多数の携帯デバイス（加入者）に対するマルチメディアコンテンツの配信は、複雑な問題である。したがって、ネットワークオペレータ、コンテンツ小売業者、およびサービスプロバイダにとって、高速かつ効果的な形で、また帯域幅利用と電力効率とを増大させるように、コンテンツならびに／またはその他のネットワークサービスを配信する方法を有することが重要である。
【０００４】
多重周波数ネットワーク（ＭＦＮ）は、メディアコンテンツを送信するために複数の無線周波数（ＲＦ）（すなわち、ＲＦチャネル）が使用されるネットワークである。ＭＦＮの１つのタイプは、分布波形（distribution waveform）が異なる局所領域内の異なるＲＦチャネル上で送信される水平多重周波数ネットワーク（ＨＭＦＮ）である。同じコンテンツまたは異なるコンテンツは、かかる局所領域内の異なるＲＦチャネル上で運ばれる分布波形の一部として送信され得る。別のタイプのＭＦＮは、（より多くのコンテンツをデバイス／エンドユーザに引き渡す能力の点で）ネットワークの容量を増大させる目的で独立した分布波形を送信するために複数の無線周波数（ＲＦ）チャネルが所与の局所領域内で使用される垂直多重周波数ネットワーク（ＶＭＦＮ）である。ＭＦＮ配備は、ある領域においてはＶＭＦＮからなり、あるその他の領域においてはＨＭＦＮからなることもある。
【０００５】
典型的なＨＭＦＮでは、局所オペレーションインフラストラクチャ（local operations infrastructure）（ＬＯＩ）は、選択された地理的領域内のＲＦチャネル上で単一の分布波形を送信するために動作する送信サイトを備える。典型的なＶＭＦＮにおいて、局所オペレーションインフラストラクチャ（ＬＯＩ）は、選択された地理的領域内の複数のＲＦチャネル上で複数の分布波形を送信するために動作する送信サイトを備える。それぞれの分布波形は、レンダリング処理のために受信デバイスにおいて選択され得る１つまたは複数のコンテンツフローを備えることが可能である。隣接するＬＯＩは、同じＲＦチャネルまたは異なるＲＦチャネルを利用することができる。
【０００６】
動作の間、受信デバイスは、所望されるコンテンツに関するデータ獲得の失敗の結果としてＲＦハンドオフを実行することが可能である。例えば、獲得の失敗は、デバイスの移動性の結果として、様々なチャネル状態により発生する可能性がある。通常、デバイスは、所望されるコンテンツを運ぶ任意の利用可能なＲＦチャネルにハンドオフすることが可能である。しかし、デバイスが所望されるコンテンツを運ぶ任意のＲＦチャネルにランダムにハンドオフする場合、選択されたＲＦチャネルに関連するＬＯＩは、現在のＬＯＩと共通のその他のコンテンツを運ばない可能性がある。また、選択されたＲＦチャネルに関連するＬＯＩは、現在のＬＯＩ内で利用可能でない任意の追加のコンテンツを運ばない可能性がある。例えば、選択されたＲＦチャネルに関連するＬＯＩは、所望されるコンテンツを運んでいるその他の利用可能なＲＦチャネルに関連するＬＯＩよりも（現在のＬＯＩとの間で）共通性のより低いコンテンツを運ぶ可能性がある。この状況は、結果として、ＲＦハンドオフの後で、デバイスが共通のコンテンツおよび追加のコンテンツにアクセスできない状況をもたらす可能性があり、これはユーザ経験に悪影響を与えることになる。
【発明の概要】
【０００７】
したがって、デバイスが多重周波数ネットワークにおいて高速かつ効果的な形でハンドオフを実行し、拡張されたユーザ経験のために共通のコンテンツおよび追加のコンテンツを最大化することを可能にするために動作するハンドオフ機構を有することが望ましい。
【０００８】
１つまたは複数の態様では、多重周波数ネットワークにおいてハンドオフを実現するために動作する、方法および装置を備えるハンドオフシステムが提供される。例えば、ハンドオフ事象が検出された場合、ハンドオフシステムは、デバイスが所望されるコンテンツを受信するために調整することが可能な新しいＲＦチャネルを決定する。ハンドオフシステムは、新しいＲＦチャネルを決定する目的で、信号強度、コンテンツの利用可能性、およびその他の要因を含むが、これらに限定されない複数の要因を考慮するために動作する。新しいＲＦチャネルに切り替えた後、デバイスは、所望されるコンテンツを受信することができ、高速かつ効果的な形で、関連するＬＯＩ内のその他のＲＦチャネル上で利用可能であり得る追加のコンテンツに切り替える能力を有する。
【０００９】
一態様では、多重周波数ネットワークにおけるＲＦチャネルハンドオフのための方法が提供される。この方法は、現在のＬＯＩと、現在のＬＯＩと少なくとも同じ広域（wide）コンテンツ多重化および局所コンテンツ多重化を運んでいる近傍のＬＯＩとを備えるコンテンツ保存ハンドオフテーブル（content preserving handoff table）を生成することと、コンテンツ保存ハンドオフに関するハンドオフ条件が満たされていることを決定することとを備える。この方法は、コンテンツ保存ハンドオフテーブルから選択されたＬＯＩと、その選択されたＬＯＩに関連する選択されたＲＦチャネルとを選択すること、およびその選択されたＬＯＩが現在のＬＯＩと異なる場合、その選択されたＬＯＩ内の選択されたＲＦチャネルへのハンドオフを実行することも備える。
【００１０】
一態様では、多重周波数ネットワークにおけるＲＦチャネルハンドオフのための装置が提供される。この装置は、現在のＬＯＩと、現在のＬＯＩと少なくとも同じ広域コンテンツ多重化および局所コンテンツ多重化を運んでいる近傍のＬＯＩとを備えるコンテンツ保存ハンドオフテーブルを生成して、コンテンツ保存ハンドオフに関するハンドオフ条件が満たされていることを決定し、コンテンツ保存ハンドオフテーブルから選択されたＬＯＩと、その選択されたＬＯＩに関連する選択されたＲＦチャネルとを選択するように構成された処理論理を備える。この装置は、その選択されたＬＯＩが現在のＬＯＩと異なる場合、その選択されたＬＯＩ内の選択されたＲＦチャネルへのハンドオフを実行するよう構成されたチャネル切替論理も備える。
【００１１】
一態様では、多重周波数ネットワークにおけるＲＦチャネルハンドオフのための装置が提供される。この装置は、現在のＬＯＩと、現在のＬＯＩと少なくとも同じ広域コンテンツ多重化および局所コンテンツ多重化を運んでいる近傍のＬＯＩとを備えるコンテンツ保存ハンドオフテーブルを生成するための手段と、コンテンツ保存ハンドオフに関するハンドオフ条件が満たされていることを決定するための手段とを備える。この装置は、コンテンツ保存ハンドオフテーブルから選択されたＬＯＩと、その選択されたＬＯＩに関連する選択されたＲＦチャネルとを選択するための手段と、その選択されたＬＯＩが現在のＬＯＩと異なる場合、その選択されたＬＯＩ内の選択されたＲＦチャネルへのハンドオフを実行するための手段も備える。
【００１２】
一態様では、多重周波数ネットワークにおけるＲＦチャネルハンドオフのためのコンピュータプログラム製品が提供される。このコンピュータプログラム製品は、コンピュータに現在のＬＯＩと、現在のＬＯＩと少なくとも同じ広域コンテンツ多重化および局所コンテンツ多重化を運んでいる近傍のＬＯＩとを備えるコンテンツ保存ハンドオフテーブルを生成させるための第１のコードセットと、コンピュータにコンテンツ保存ハンドオフに関するハンドオフ条件が満たされていることを決定させるための第２のコードセットとを備える機械可読媒体を備える。この機械可読媒体は、コンピュータにコンテンツ保存ハンドオフテーブルから選択されたＬＯＩと、この選択されたＬＯＩに関連する選択されたＲＦチャネルとを選択させるための第３のコードセット、およびこの選択されたＬＯＩが現在のＬＯＩと異なる場合、コンピュータにこの選択されたＬＯＩ内の選択されたＲＦチャネルへのハンドオフを実行させるための第４のコードセットも備える。
【００１３】
一態様では、多重周波数ネットワークにおけるＲＦチャネルハンドオフ用に構成された少なくとも１つの集積回路が提供される。この少なくとも１つの集積回路は、現在のＬＯＩと、現在のＬＯＩと少なくとも同じ広域コンテンツ多重化および局所コンテンツ多重化を運んでいる近傍のＬＯＩとを備えるコンテンツ保存ハンドオフテーブルを生成するように構成された第１のモジュールと、コンテンツ保存ハンドオフに関するハンドオフ条件が満たされていることを決定するように構成された第２のモジュールとを備える。この少なくとも１つの集積回路は、コンテンツ保存ハンドオフテーブルから選択されたＬＯＩと、その選択されたＬＯＩに関連する選択されたＲＦチャネルとを選択するように構成された第３のモジュール、およびこの選択されたＬＯＩが現在のＬＯＩと異なる場合、この選択されたＬＯＩ内の選択されたＲＦチャネルへのハンドオフを実行するように構成された第４のモジュールも備える。
【００１４】
その他の態様は、下に記載された図面の簡単な説明、発明を実施するための形態、および特許請求の範囲の再考後に明らかになるであろう。
【００１５】
本明細書で説明される前述の態様は、添付の図面と共に、以下の発明を実施するための形態を参照することによってより簡単に明らかになるであろう。
【図面の簡単な説明】
【００１６】
【図１】多重周波数ネットワークにおいて使用するためのハンドオフシステムの態様の動作を例示するネットワークを示す図。
【図２】ハンドオフシステムの態様において使用するための伝送フレームおよび近傍記述情報（neighbor description information）を示す図。
【図３】選択システムの態様において使用するためのＲＦチャネル選択論理を示す図。
【図４】ハンドオフシステムの態様において、広域シームレスハンドオフテーブルまたは局所シームレスハンドオフテーブルとして使用するために適用可能な例示的なシームレスハンドオフテーブルを示す図。
【図５】ハンドオフシステムの態様において、広域＋局所（wide+local）シームレスハンドオフテーブルとして使用するために適用可能な例示的なシームレスハンドオフテーブルを示す図。
【図６】ハンドオフシステムの態様において、広域の部分的シームレスハンドオフテーブル、局所の部分的シームレスハンドオフテーブル、または広域＋局所の部分的シームレスハンドオフテーブルとして使用するために適用可能な例示的な部分的シームレスハンドオフテーブルを示す図。
【図７】ハンドオフシステムの態様において使用するためのハンドオフを実行するための方法を示す図。
【図８】ハンドオフシステムの態様において使用するためのハンドオフ手順を実行するための方法を示す図。
【図９】ハンドオフシステムの態様において使用するための、アクティブ化されたフローにハンドオフ事象トリガを提供するための方法を示す図。
【図１０】ハンドオフシステムの態様において使用するための、アクティブ化されたフローにハンドオフ事象トリガを提供するための方法を示す図。
【図１１】ハンドオフシステムの態様において使用するための、登録されたフローにハンドオフ事象トリガを提供するための方法を示す図。
【図１２】ハンドオフシステムの態様において使用するための、登録されたフローにハンドオフ事象トリガを提供するための方法を示す図。;
【図１３】ハンドオフシステムの態様において使用するためのシームレスハンドオフテーブルの例を示す図。
【図１４】ハンドオフシステムの態様において使用するための部分的シームレスハンドオフテーブルの例を示す図。
【図１５】ハンドオフシステムの態様において使用するためのＲＦハンドオフ論理を示す図。
【図１６】ハンドオフシステムの態様において使用するために適用可能な例示的なコンテンツ保存ハンドオフテーブルを示す図。
【図１７】ハンドオフシステムの態様において使用するためのコンテンツ保存ハンドオフを提供するための例示的な方法を示す図。
【図１８】ハンドオフシステムの態様において使用するためのハンドオフ論理を示す図。
【発明を実施するための形態】
【００１７】
１つまたは複数の態様では、所望されるコンテンツが受信され得るように、それへのハンドオフが実行されることが可能な、多重周波数ネットワーク内のＲＦチャネルを決定するために、デバイスにおいて動作するハンドオフシステムが提供される。一態様では、ハンドオフシステムは、近傍のＲＦチャネルおよびそれらの近傍のＲＦチャネルが運ぶコンテンツに関係する情報をアセンブルする。この情報は、シームレスハンドオフテーブルおよび部分的シームレスハンドオフテーブルにアセンブルされる。所望されるコンテンツに関するデータ獲得が失敗した場合、ハンドオフ事象が開始される。ハンドオフ事象が検出された場合、ハンドオフシステムは、所望されるコンテンツを受信するためにデバイスが切り替わることが可能な新しいＲＦチャネルを決定する目的で生成されたハンドオフテーブルを処理するために動作する。
【００１８】
このシステムは、無線ネットワーク環境において使用するのに非常に適しているが、通信ネットワーク、インターネットなどの公衆ネットワーク、仮想専用ネットワーク（ＶＰＮ）などの私設ネットワーク、局所領域ネットワーク、広域ネットワーク、長距離ネットワーク、または任意のその他のタイプのデータネットワークを含むが、これらに限定されない、いかなるタイプのネットワーク環境においても使用され得る。
【００１９】
定義
選択システムの態様を説明するために、本明細書において以下の定義が使用される。
【００２０】
１．局所領域。サービスがブロードキャストされ得る、建物、建物のグループ、地域社会、市、郡またはその他の地域など、局所的な地理的領域を指す。
【００２１】
２．広域。サービスがブロードキャストされ得る、郡、州、複数の州、国、複数の国、またはその他の広い領域など、広い地理的領域を指す。
【００２２】
３．多重化。コンテンツフローのグルーピング（grouping）を指す。
【００２３】
４．広域多重化。少なくとも１つの広域上でブロードキャストされるコンテンツフローのグルーピングを指す。
【００２４】
５．局所領域多重化。少なくとも１つの局所領域上でブロードキャストされるコンテンツフローのグルーピングを指す。
【００２５】
６．広域オペレーションインフラストラクチャ（ＷＯＩ）。広域上でコンテンツフローを送信するために動作する送信機および関連するシステムのグルーピングを指す。ＷＯＩは、広域多重化を運ぶことが可能な最も小さな地理的広域にマップする。広域多重化は、１つまたは複数のＷＯＩ上でブロードキャストされ得る。
【００２６】
７．局所領域オペレーションインフラストラクチャ（ＬＯＩ）。局所領域上でコンテンツフローを送信するために動作する送信機および関連するシステムのグルーピングを指す。ＬＯＩは、局所領域多重化を運ぶことが可能な最も小さな地理的局所領域にマップする。局所領域多重化は、１つまたは複数のＬＯＩ上でブロードキャストされ得る。
【００２７】
８．ＲＦチャネル。選択されたＬＯＩ上でコンテンツ分布波形を伝えるために使用されるＲＦ周波数を指す。
【００２８】
９．コンテンツチャネル。特定の分布波形内の選択されたコンテンツフローを指す。例えば、分布波形は、複数のコンテンツチャネルを備えることが可能であり、それぞれのコンテンツチャネルは１つまたは複数のコンテンツフローを備え得る。
【００２９】
頭文字
選択システムの態様を説明するために、本明細書において以下の頭文字が使用される。
【００３０】
ＬＭ：局所領域多重化
ＷＭ：広域多重化
ＮＯＣ：ネットワークオペレーションセンター
ＷＯＩ：広域オペレーションインフラストラクチャ
ＬＯＩ：局所領域オペレーションインフラストラクチャ
ＮＤＭ：近傍記述メッセージ
ＷＩＤ：広域逆スクランブル処理識別子（Descrambling Identifier）
ＬＩＤ：局所領域逆スクランブル処理識別子
ＯＩＳ：オーバヘッド情報記号
ＣＣ：制御チャネル
図１は、多重周波数ネットワークにおいてＲＦチャネル選択を実現するためのハンドオフシステムの態様の動作を例示するネットワーク１００を示す。例えば、ネットワーク１００は、それぞれが多重周波数ネットワークの１つのＬＯＩ（それぞれ、ＬＯＩ１、ＬＯＩ２、ＬＯＩ３、およびＬＯＩ４）を備える４つのＷＯＩ（ＷＯＩ１、ＷＯＩ２、ＷＯＩ３、およびＷＯＩ４）を備える。それぞれのＬＯＩ内で、コンテンツを送信するために１つまたは複数のＲＦチャネルが使用される。ＬＯＩ２およびＬＯＩ３は、それらのＬＯＩのそれぞれの中に２つのＲＦチャネルを備える水平ＭＦＮを有する。ＬＯＩ１およびＬＯＩ４は、１つのＲＦチャネルだけを運ぶ。それぞれのＲＦチャネルは、そのＲＦチャネル上で送信されたコンテンツを逆スクランブルするために使用され得る逆スクランブル処理系列を識別する、関連するＷＩＤ／ＬＩＤを有する。ＬＯＩ１、ＬＯＩ２、ＬＯＩ３、およびＬＯＩ４は、ネットワーク１００において示されるように近傍のＬＯＩである。ＬＯＩ１は、その近傍としてＬＯＩ２を有し、ＬＯＩ２は、その近傍として、ＬＯＩ１、ＬＯＩ３、およびＬＯＩ４を有し、ＬＯＩ３は、その近傍としてＬＯＩ２を有し、ＬＯＩ４は、その近傍として、ＬＯＩ２を有する。
【００３１】
ネットワーク１００は、多重周波数ネットワークの選択された広域上および局所領域上で配信するための広域コンテンツ多重化および局所コンテンツ多重化を受信するために動作するネットワークオペレーションセンター（ＮＯＣ）１０２を備える。ＮＯＣ１０２は、そのコンテンツを配信する目的で多重周波数ネットワークを構成するためにも動作する。これを達成するために、ＮＯＣ１０２は、当該ＬＯＩによってカバーされる、ネットワークの地理的領域、それぞれの領域において使用されるＲＦチャネル、およびネットワークを構成して、広域コンテンツ多重化および局所コンテンツ多重化を配信するために必要とされる可能性がある任意のその他のネットワーク情報を知っている。ネットワーク１００は、任意の数のＬＯＩを備え得る点に留意されたい。
【００３２】
一態様では、ＮＯＣ１０２は近傍記述論理１０４を備える。近傍記述論理１０４は、それぞれのＬＯＩに関する近傍のＬＯＩのリストおよびそれぞれのＬＯＩ内のＲＦチャネルに関連するＷＩＤ／ＬＩＤ逆スクランブル処理識別子に関係する情報をアセンブルするために動作する。例えば、広域コンテンツ多重化および局所コンテンツ多重化は、ネットワーク１００上の伝送の前に、広域スクランブリング系列および局所領域スクランブリング系列を用いてスクランブルされる。一態様では、近傍記述論理１０４は、特定のＬＯＩに関連する近傍のＬＯＩ、ならびに特定のＬＯＩおよびその近傍のＬＯＩのＲＦチャネルに関連する逆スクランブル処理系列を識別するＷＩＤ／ＬＩＤ識別子のリストを提供するように構成された近傍記述メッセージ（ＮＤＭ）を生成するために動作する。別の態様では、ＮＤＭメッセージは、近傍のＬＯＩ、ならびにＬＯＩの任意の選択されたグループに関するＲＦチャネルに関連するＷＩＤ／ＬＩＤ識別子のリストを提供するように構成される。近傍記述論理１０４によって生成されるＮＤＭメッセージのより詳細な説明は、本書の別の項で提供される。
【００３３】
ＮＯＣ１０２は、広域多重化および局所領域多重化、ならびに生成されたＮＤＭをネットワーク１００内のＬＯＩに送信するために動作する。４つのＬＯＩだけが示されるが、ＮＯＣ１０２は、多重化および関連するＮＤＭを任意の数のＬＯＩに送信することが可能である点に留意されたい。
【００３４】
一態様では、ＬＯＩ１、ＬＯＩ２、ＬＯＩ３、およびＬＯＩ４は、１つまたは複数の送信機サイトを備える。例えば、ＬＯＩ１は、送信機サイト１０６を備える。それぞれの送信機サイトは、そのそれぞれのＬＯＩ上の選択されたＲＦチャネル上で分布波形を送信するために動作する。それぞれの送信機サイトは１０８で例示されるように、１つまたは複数のサーバを備える点に留意されたい。
【００３５】
一態様では、ＮＯＣ１０２は、任意の適したトランスポート機構を使用して、コンテンツ多重化およびＮＤＭを送信機サイトに送信するために動作する。例えば、コンテンツ多重化およびＮＤＭは、１１０で例示されるように、それぞれの送信機サイトに関連するサーバに送信される。一態様では、ＮＯＣ１０２は、ＭＰＥＧ−２トランスポート機構を使用して、コンテンツ多重化およびＮＤＭメッセージを送信機サイトに送信する。この構成では、それぞれの送信機サイトにおいて、サーバが、それぞれ当該サーバに向けられた、選択されたコンテンツ多重化とＮＤＭメッセージとを検出および受信することができるように、多重化およびＮＤＭメッセージにＭＰＥＧ−２トランスポート識別子が割り当てられる。
【００３６】
送信機サイトにおいて、サーバは、どの多重化およびＮＤＭメッセージが、当該サーバがそのそれぞれのＬＯＩ上で配信するためのものであるかを決定するためにトランスポート識別子を使用する。次いで、これらのサーバは、そのそれぞれの多重化およびＮＤＭメッセージを選択されたＲＦチャネル上の伝送向けの伝送フレーム内にパックするために動作する。これらのサーバは、多重化およびＮＤＭメッセージを伝送向けの伝送フレーム内にパックするために任意の適切な物理層プロセスを使用する。そのそれぞれのＬＯＩ上での伝送向けの多重化およびＮＤＭメッセージを決定するためにトランスポート識別子を使用することによって、送信機サイトにおいて、これらのサーバは、多重化またはＮＤＭメッセージのいずれかを復号する必要がない。これらのサーバは、単に、適切なトランスポート識別子を検出し、次いで、物理層プロセスに従って、識別された多重化およびＮＤＭメッセージを伝送フレーム内にパックする。
【００３７】
この伝送フレームは、近傍記述論理１０４によって生成された、広域多重化および局所領域多重化、ならびにＮＤＭメッセージに関連するコンテンツフローを備える。一態様では、この伝送フレームは、それぞれ、広域コンテンツフローおよび局所コンテンツフローを伝えるために使用される広域データ区分および局所領域データ区分を備える。加えて、広域区分および局所区分は、広域制御チャネルおよび局所制御チャネルを備える。一態様では、局所制御チャネルは、近傍記述論理１０４によって生成されたＮＤＭメッセージをそれぞれのＬＯＩ内のデバイスに配信するために使用される。
【００３８】
一態様では、送信機サイトは、指定されたＲＦチャネルを使用して、そのそれぞれのＬＯＩ上で伝送フレームを送信する。伝送フレームを送信するためにＬＯＩ内の複数のＲＦチャネルを使用することによって、ネットワーク１００は、かかるＬＯＩ上でより多くのコンテンツフローを送信することが可能である。ＬＯＩ内の送信機サイトは、同じ場所に配置されてよく、または任意の所望される距離だけ離されてもよい点に留意されたい。それぞれのＬＯＩは、近傍のＬＯＩの異なるセットを有する可能性があり、それぞれの近傍のＬＯＩは異なるＲＦチャネルおよび、それを用いて送信されたコンテンツを逆スクランブルする、関連する逆スクランブル処理系列と関連付けられることが可能であるため、それぞれのＬＯＩ上で配信されたＮＤＭは異なる可能性がある点にも留意されたい。
【００３９】
それぞれのＬＯＩ内で、逆スクランブル処理系列識別子は、それぞれのＲＦチャネルと関連付けられる。逆スクランブル処理系列識別子は、広域逆スクランブル処理系列識別子（ＷＩＤ）と、局所領域逆スクランブル処理系列識別子（ＬＩＤ）とを備える。逆スクランブル処理系列識別子は、特定のＲＦチャネル上で、特定のＬＯＩ内で受信されたコンテンツを逆スクランブルするために使用され得る逆スクランブル処理系列を識別する。逆スクランブル処理系列識別子は、特定のＲＦチャネル上で運ばれるコンテンツ多重化も識別する。例えば、ＬＯＩ２内には２つのＲＦチャネル（すなわち、ＲＦ２、ＲＦ３）が存在し、それぞれのＲＦチャネルは、関連する広域コンテンツ多重化および局所コンテンツ多重化を逆スクランブルするために使用され得る逆スクランブル処理系列を識別する逆スクランブル処理系列識別子と関連付けられる。例えば、ＲＦ２は、ＷＩＤ１およびＬＩＤ１と関連付けられ、かつ広域多重化ＷＭ１および局所多重化ＬＭ１を運び、ＲＦ３は、ＷＩＤ２およびＬＩＤ２と関連付けられ、かつ広域多重化ＷＭ２および局所多重化ＬＭ２を運ぶ。ＷＩＤ１、ＬＩＤ１、ＷＩＤ２、およびＬＩＤ２は、それぞれ、多重化ＷＭ１、ＬＭ１、ＷＭ２、およびＬＭ２を識別する。
【００４０】
ＬＯＩ２内で動作しているデバイス１１２は、ＷＩＤ１によって識別された逆スクランブル処理系列を用いて逆スクランブルされ得る、チャネルＲＦ２上の広域コンテンツを受信するために調整される。デバイス１１２の詳細は１１４において示される。デバイス１１２は、伝送フレームを受信するために選択されたＲＦチャネルに対して調整するために動作する受信機１１６を備える。例えば、受信機１１６は、伝送フレームを受信するために、ＬＯＩ２内のＲＦ２に対して調整される。受信された伝送フレームは、１つまたは複数のＮＤＭ内で近傍記述情報を伝える局所制御チャネルを備える。例えば、ＮＤＭは、近傍記述論理１０４によって生成されて、図１に示されるＬＯＩに配信される。一態様では、ＮＤＭは、デバイスの現在のＬＯＩ（すなわち、デバイス１１２向けのＬＯＩ２）に関する近傍のＬＯＩ内、ならびに、現在のＬＯＩ（すなわち、ＬＯＩ２）内およびその近傍のＬＯＩ（すなわち、ＬＯＩ１、ＬＯＩ３、およびＬＯＩ４）内のＲＦチャネルと関連する逆スクランブル処理系列を識別するＷＩＤ／ＬＩＤ逆スクランブル処理識別子のリストを備える。
【００４１】
受信機１１６は、１２２において例示されるように、ＮＤＭ内で受信された近傍記述情報（または、ＮＤＭ自体）をＲＦハンドオフ論理１１８に渡す。受信機１１６はまた、ＬＯＩ２内のＲＦ２に関連する正確なＷＩＤ／ＬＩＤ識別子を使用して、受信されたコンテンツを逆スクランブルして、当該デバイスユーザのためにそのコンテンツをレンダリング処理するために動作する復号器１２０にも逆スクランブルされたコンテンツを渡す。
【００４２】
ＲＦハンドオフ論理１１８は、１２２においてＮＤＭを受信するために動作する。ＮＤＭは、所与のＬＯＩに関する近傍のＬＯＩ内、ならびに所与のＬＯＩ内およびその近傍のＬＯＩ内のＲＦチャネルに関するＷＩＤ／ＬＩＤ識別子のリストを特定する。この情報から、ＲＦハンドオフ論理１１８は、デバイスの現在のＬＯＩ内で運ばれるコンテンツ多重化に関するシームレスハンドオフテーブルおよび部分的シームレスハンドオフテーブルを生成するために動作する。現在のＬＯＩ内で運ばれる所与のコンテンツ多重化に関するシームレスハンドオフテーブルおよび部分的シームレスハンドオフテーブルは、所与のコンテンツ多重化を獲得するために切り替えられることが可能な近傍のＲＦのリストを提供する。シームレスハンドオフテーブルおよび部分的シームレスハンドオフテーブルは、広域コンテンツ多重化および局所コンテンツ多重化に関して別々に計算される。例えば、近傍のＲＦチャネルが所与の広域コンテンツ多重化を運ぶ場合、かつその近傍のＲＦチャネルに関連するＬＯＩが、デバイスの現在のＬＯＩと同じ広域コンテンツ多重化のセットまたはスーパーセットを運ぶ場合、その近傍のＲＦチャネルは、現在のＬＯＩ内で運ばれる所与の広域コンテンツ多重化に関連する広域シームレスハンドオフテーブル内に記入項を有する。近傍のＲＦチャネルが所与の広域コンテンツ多重化を運ぶ場合、かつその近傍のＲＦチャネルに関連するＬＯＩがデバイスの現在のＬＯＩと同じ広域コンテンツ多重化のセットまたはスーパーセットを運ばない場合、その近傍のＲＦチャネルは、現在のＬＯＩ内で運ばれる所与の広域コンテンツ多重化に関連する広域な部分的シームレスハンドオフテーブル内に記入項を有する。
【００４３】
一態様では、１つまたは複数のハンドオフ事象により、ＲＦハンドオフが所望される場合がある。ハンドオフ事象は、ハンドオフ論理１１８に新しいＲＦチャネルを決定させて、その新しいＲＦチャネルに対して調整するための要求１２４を受信機１１６に送らせる。ハンドオフ事象は、所望されるコンテンツフローを受信するために、デバイス１１２に１つのＲＦチャネルから別のＲＦチャネルに切り替えさせる事象である。一態様では、ハンドオフ事象は、所望されるコンテンツに関連するコンテンツ獲得の失敗（例えば、デバイスの移動度による様々なチャネル条件に起因する失敗）によってトリガされることが可能であり、または、当該コンテンツ獲得の失敗の結果として実行されることが可能である。
【００４４】
一態様では、デバイスの移動度に関連するコンテンツ獲得の失敗は、デバイス１１２がＬＯＩ２によってカバーされた領域から１つまたは複数の近傍のＬＯＩによってカバーされた領域に移動する場合に発生する。例えば、デバイス受信機１１６は、ＬＯＩ２内の特定のＲＦチャネル上で所望されるコンテンツフローを受信するために調整される。ＲＦハンドオフ論理１１８は、デバイス１１２がＬＯＩ２の受信可能範囲領域外に移動するときにコンテンツ獲得の失敗が検出された場合、所望されるコンテンツフローを受信し続ける目的で、それに対して受信機１１６が調整することが可能な、近傍のＬＯＩ内のＲＦチャネルを決定するために動作する。
【００４５】
ＲＦハンドオフ論理１１８は、所望されるコンテンツフローを運んでいる新しいＲＦチャネルを決定するために、ハンドオフシステムの態様において以下の機能のうちの１つまたは複数を実行するために動作する。
【００４６】
１．コンテンツ獲得の観点から円滑な遷移が実行され得るように、所望されるコンテンツフローを運ぶ、近傍のＬＯＩ内の利用可能なＲＦチャネルのリストを（受信された近傍記述情報から）決定する。
【００４７】
２．近傍のＲＦチャネルの信号強度を監視する。
【００４８】
３．所望されるコンテンツに関するシームレスハンドオフテーブルおよび部分的シームレスハンドオフテーブルを生成する。これらのテーブルは、利用可能なＲＦチャネルのリストおよびこれらのＲＦチャネルに関連するＬＯＩ内で利用可能なコンテンツに基づく記入項を備える。
【００４９】
４．シームレステーブル内および部分的シームレステーブル内のＲＦチャネルをランク付けする。
【００５０】
５．ランクに基づいて、シームレスハンドオフテーブルから選択されたＲＦチャネルを選択する。この選択されたＲＦチャネルはＲＦ選択基準を満たす。
【００５１】
６．ランクに基づいて、部分的シームレスハンドオフテーブルから選択されたＲＦチャネルを選択する。シームレスハンドオフテーブルからの選択が失敗した場合、この選択されたＲＦチャネルは、ＲＦ選択基準を満たす。
【００５２】
ＲＦチャネルが決定されると、ＲＦハンドオフ論理１１８は、ＲＦハンドオフを実施するために、ＲＦチャネル切替メッセージ１２４を受信機１１６にアウトプットする。ＲＦチャネル切替メッセージは、所望されるコンテンツフローが受信機１１６によって逆スクランブルされ得るように、選択されたＲＦチャネルに関する正確なＷＩＤ／ＬＩＤ識別子を含む。受信機１１６は、選択されたＲＦチャネルに対してＲＦチャネル切替を実行して、チャネル切替メッセージ内で受信されたＷＩＤ／ＬＩＤを使用して、コンテンツを逆スクランブルする。
【００５３】
したがって、様々な態様では、ハンドオフシステムは、所望されるコンテンツに関するコンテンツ獲得の失敗が検出された後に、所望されるコンテンツの受信が継続し得るように、多重周波数ネットワーク内の利用可能なＲＦチャネルのうちのどれがハンドオフのために選択されることになるかを決定するために動作する。ハンドオフシステムは、利用可能なＲＦチャネルをランク付けするために使用されるシームレスハンドオフテーブルおよび部分的シームレスハンドオフテーブルに基づいて、選択されたＲＦチャネルを決定した。したがって、ハンドオフシステムは、ＲＦ選択基準を満たす最高のランキングを有する利用可能なＲＦチャネルを選択するために動作する。ＲＦ選択基準は、選択されたＲＦチャネルが十分大きな受信信号強度指示子（received signal strength indicator）（ＲＳＳＩ）値を有し、かつＲＦハンドオフ基準も満たすことを確実にする。ＲＦハンドオフ基準の詳細は、本書のその他の項において提供される。
【００５４】
図２は、ハンドオフシステムの態様において使用するための伝送フレーム２００の図を示す。例えば、伝送フレーム２００は、広域コンテンツ多重化および局所コンテンツ多重化でパックされて、図１に示されるＬＯＩ内のＲＦチャネル上で送信されることが可能である。
【００５５】
伝送フレーム２００は、広域コンテンツおよび局所コンテンツを伝えるために使用される、概して、２０２において示される、４つのサブフレームを備える。例えば、それぞれのサブフレーム２０２は広域コンテンツでパックされた広域区分２０４と、局所コンテンツでパックされた局所領域区分２０６とを備える。
【００５６】
広域区分２０４内に含まれるのは、広域制御チャネル２０８である。広域制御チャネル２０８は、広域コンテンツ多重化に関するメッセージを伝えるために動作する。局所領域区分２０６内に含まれるのは、局所領域制御チャネル２１０である。局所領域制御チャネル２１０は、局所コンテンツ多重化に関係するメッセージを伝えるために動作する。一態様では、局所領域制御チャネルは、ハンドオフシステムの態様において使用するためのＮＤＭメッセージの一部として、近傍記述情報を伝えるために使用される。
【００５７】
伝送フレーム２００の初めにあるのは、広域制御チャネル、局所領域制御チャネル、ならびにサブフレーム２０２内にパックされた広域コンテンツおよび局所コンテンツの位置を突き止めるために使用されるオーバヘッド情報を提供するオーバヘッド情報記号（ＯＩＳ）２１２である。ＯＩＳ２１２は、広域オーバヘッド情報記号（ＷＯＩＳ）と局所オーバヘッド情報記号（ＬＯＩ）とを備える。
【００５８】
一態様では、コンテンツフローは、サブフレーム２０２内のメディア論理チャネル（ＭＬＣ）を使用して送信される。１つまたは複数のコンテンツフローを運ぶために単一のＭＬＣが使用され得る。ＭＬＣの一部として送信されたデータ内に加えられた冗長性のため、ＭＬＣ内のすべてのパケットが正確に受信されない場合でも、コンテンツフローデータは成功裏に獲得され得る。ＭＬＣパケット消去がＭＬＣの一部として送信されたデータ内に加えられた冗長性に基づいて許可された誤りしきい値を超えた場合、コンテンツフローに関するデータ獲得は失敗する。
【００５９】
一態様では、ＮＤＭメッセージ内に含まれた近傍記述情報は、それぞれのＬＯＩに関して別々に生成されて、選択されたＬＯＩおよびその近傍のＬＯＩに関連するＲＦチャネルのリストを提供するように構成される。別の態様では、ＮＤＭメッセージは、（近傍であってもよく、または近傍でなくてもよい）選択されたＬＯＩグループに関して生成され、選択されたＬＯＩグループ内のＬＯＩのそれぞれに関するすべての近傍のＬＯＩを含む。近傍記述情報において説明されるＲＦチャネルのそれぞれは、ＷＩＤ／ＬＩＤ逆スクランブル処理識別子と関連付けられる。
【００６０】
一態様では、ＮＤＭメッセージは、ＬＯＩ内のＲＦチャネルによって送信された伝送フレームの一部である局所制御チャネルを使用して、そのＬＯＩ上で配信される。ＮＤＭ内で運ばれる近傍記述情報は、任意の適切なフォーマットでフォーマットされることが可能であり、符号化もしくは暗号化されることが可能であり、かつ／または再編成されることが可能であり、あるいは２つ以上のメッセージ構成要素に分割されることが可能である点に留意されたい。
【００６１】
テーブル２１４は、ＮＤＭメッセージ内で提供されたパラメータがデバイスにおいてどのように編成および記憶され得るかを例示する。テーブル２１４は、デバイスの現在のＬＯＩ（すなわち、ＬＯＩ２）を識別するＬＯＩ識別子２１６を備える。テーブル２１４は、デバイスの現在のＬＯＩの近傍のＬＯＩに、現在のＬＯＩ自体を加えたＬＯＩを識別する、近傍のＬＯＩリスト２１８も含む。テーブル２１４は、その他の制御チャネルメッセージにおいて現在のＬＯＩの特定のＲＦチャネルを参照するために使用され得る識別子を示すＲＦチャネル識別子２２０も含む。ＲＦチャネル識別子２２０は、現在のＬＯＩ（すなわち、ＬＯＩ２）だけに提供される点に留意されたい。
【００６２】
テーブル２１４は、近傍のＬＯＩリスト２１８内で識別されたそれぞれのＬＯＩに関連するＲＦ周波数を識別するＲＦ周波数識別子２２２も備える。テーブル２１４は、それぞれのＲＦ周波数２２２と関連するＷＩＤ／ＬＩＤ逆スクランブル処理系列識別子を識別するＷＩＤ／ＬＩＤ識別子２２４も備える。したがって、テーブル２１４は、受信デバイスにおいて作成および記憶され、ハンドオフシステムの動作中に使用されることが可能である。
【００６３】
図３は、ハンドオフシステムの態様において使用するためのＲＦハンドオフ論理３００を示す。例えば、ＲＦハンドオフ論理３００は、図１に示されるＲＦハンドオフ論理１１８として使用するのに適している。ＲＦハンドオフ論理３００は、すべてデータバス３０８に結合された処理論理３０２と、メッセージ復号器３０４と、チャネル切替論理３１０と、オーバヘッド入力論理３０６とを備える。
【００６４】
オーバヘッド入力論理３０６は、ＣＰＵ、プロセッサ、ゲートアレー、ハードウェア論理、メモリ要素、および／またはソフトウェアを実行しているハードウェアのうちの少なくとも１つを備える。オーバヘッド入力論理３０６は、それに対してデバイスが現在調整されているＲＦチャネル上でＯＩＳデータおよび制御チャネルデータを受信するために動作する。オーバヘッド入力論理３０６は、受信されたＣＣデータをメッセージ復号器３０４に渡す。例えば、オーバヘッド入力論理３０６は、図２に示されるように、論理制御チャネル上で送信されたＮＤＭメッセージを受信するために動作する。
【００６５】
メッセージ復号器３０４は、ＣＰＵ、プロセッサ、ゲートアレー、ハードウェア論理、メモリ要素、および／またはソフトウェアを実行しているハードウェアのうちの少なくとも１つを備える。一態様では、メッセージ復号器３０４は、制御チャネル入力論理３０６によって受信されたＮＤＭメッセージを復号するために動作する。例えば、メッセージ復号器３０４は、現在のＬＯＩおよびその近傍のＬＯＩに関連する利用可能なＲＦチャネルを決定する目的で、受信されたＮＤＭメッセージを復号するために動作する。メッセージ復号器３０４は、デバイスの現在のＬＯＩ内およびその近傍のＬＯＩ内のそれぞれのＲＦチャネルに関連するＷＩＤ／ＬＩＤ逆スクランブル処理系列識別子を決定するために、受信されたＮＤＭメッセージを復号する。例えば、ＮＤＭメッセージ内で受信された情報は、デバイスの現在のＬＯＩ内およびその近傍のＬＯＩ内のＲＦチャネルに関連するＷＩＤ／ＬＩＤ逆スクランブル処理系列識別子を提供するために、図２に例示されるように編成および記憶される。
【００６６】
処理論理３０２は、ＣＰＵ、プロセッサ、ゲートアレー、ハードウェア論理、メモリ要素、および／またはソフトウェアを実行しているハードウェアのうちの少なくとも１つを備える。一態様では、処理論理３０２は、ネットワーク条件の変更による（例えば、デバイス移動度による）またはその他の理由による、所望されるコンテンツに関連するデータ獲得の失敗のために、ＲＦハンドオフが所望されることを示すハンドオフ事象を受信するために動作する。そのような場合、所望されるコンテンツを受信し続ける目的で、所望されるコンテンツを運ぶ、近傍のＬＯＩ内のＲＦチャネルに切り替えるためにハンドオフを実行する必要がある場合がある。
【００６７】
処理論理３０２は、所望されるコンテンツに関するシームレスハンドオフテーブルおよび部分的シームレスハンドオフテーブルを生成する目的で、ＮＤＭ内で受信された情報を処理するために動作する。一態様では、処理論理３０２は、所望されるコンテンツのＷＩＤ／ＬＩＤに関連する、近傍のＬＯＩ内のそれらのＲＦチャネルを備えるために、ハンドオフテーブルをアセンブルする。一態様では、同じＷＩＤに関連する近傍のＲＦチャネルは、同じ広域コンテンツを運び、同じＬＩＤに関連する近傍のＲＦチャネルは、同じ局所コンテンツを運ぶ。一態様では、ハンドオフテーブルは、広域シームレスハンドオフテーブルおよび広域な部分的シームレスハンドオフテーブル、局所シームレスハンドオフテーブルおよび局所な部分的シームレスハンドオフテーブル、ならびに広域＋局所シームレスハンドオフテーブルおよび広域＋局所な部分的シームレスハンドオフテーブルを備える。
【００６８】
ハンドオフテーブル内のＲＦチャネルが決定されると、処理論理３０２は、それらのＲＦチャネルに関係する信号強度情報を決定するために動作する。例えば、処理論理３０２は、シームレスハンドオフテーブル内および部分的シームレスハンドオフテーブル内で識別されたＲＦチャネルに関連する信号強度パラメータを受信するために近傍のＲＦに関してＲＦ監視を実行するために動作する。例えば、一態様では、この情報は、図１に示される受信機１１６などのデバイス受信機から取得される。
【００６９】
処理論理３０２は、ハンドオフテーブル内のそれぞれのＲＦチャネルに関連するＬＯＩ内で利用可能なコンテンツに関する情報を決定するためにも動作する。例えば、コンテンツ情報は、現在のＬＯＩと共通の利用可能な多重化の数と、それぞれの識別されたＬＯＩ内の利用可能な多重化の総数とを備える。処理論理３０２は、シームレスハンドオフテーブル内および部分的シームレスハンドオフテーブル内のＲＦチャネルをランク付けする目的でコンテンツ情報を使用するために動作する。
【００７０】
処理論理３０２は、ハンドオフ事象を受信するために動作する。このハンドオフ事象は、所望されるコンテンツを獲得し続けるために、別のＲＦチャネルへのハンドオフが必要であることを示す。例えば、このハンドオフ事象は、例えば、ネットワーク条件の変更による、所望されるコンテンツに関するコンテンツ獲得の失敗のため、ハンドオフが所望されることを示すことができる。
【００７１】
所望されるコンテンツに関してこのハンドオフ事象が検出されると、処理論理３０２は、ハンドオフのために選択されたＲＦチャネルを決定する目的で、所望されるコンテンツに関連するシームレスハンドオフテーブル内のＲＦチャネルを処理するために動作する。関連するシームレスハンドオフテーブル内にＲＦチャネルが存在しない場合、または関連するシームレスハンドオフテーブル内のＲＦチャネルのいずれもＲＦ選択基準を満たさない場合、処理論理３０２は、ハンドオフのために選択されたＲＦチャネルを決定する目的で、所望されるコンテンツに関連する部分的シームレスハンドオフテーブル内のＲＦチャネルを処理する。処理論理３０２は、シームレスハンドオフテーブル内および部分的シームレスハンドオフテーブル内のＲＦチャネルをそのランキングの順序で処理するために動作する。選択されたＲＦチャネルが決定されると、処理論理３０２は、このＲＦチャネルのＩＤをチャネル切替論理３１０に渡す。ハンドオフテーブルから選択されたＲＦチャネルを選択するための処理論理３０２の動作のより詳細な説明、およびＲＦ選択基準の詳細は、本書の別の項で提供される。
【００７２】
チャネル切替論理３１０は、ＣＰＵ、プロセッサ、ゲートアレー、ハードウェア論理、メモリ要素、および／またはソフトウェアを実行しているハードウェアのうちの少なくとも１つを備える。チャネル切替論理３１０は、選択されたＲＦチャネルのＩＤと、そのＷＩＤ／ＬＩＤ逆スクランブル処理系列識別子とを備えるＲＦチャネル切替メッセージを生成するために動作する。ＲＦチャネル切替メッセージは、デバイス受信機１１６に送られる。この情報を用いて、受信機１１６は、選択されたＲＦチャネルに速やかに切り替えて、所望されるコンテンツを受信するために、受信されたＷＩＤ／ＬＩＤ逆スクランブル処理系列を使用することができる。したがって、ハンドオフの間、拡張されたユーザ経験を目指して、所望されるコンテンツを提供し、ＲＦ選択基準を満たし、関連するＬＯＩ内で運ばれる（現在のＬＯＩと）共通のコンテンツおよび追加のコンテンツの観点から最高にランク付けされたＲＦチャネルが選択され得る。
【００７３】
一態様では、このハンドオフシステムは、少なくとも１つのプロセッサ、例えば、処理論理３０２におけるプロセッサによって実行された場合、コンピュータに本明細書で説明される機能を提供させる、機械可読媒体上に記憶または実施された１つもしくは複数のプログラム命令（「命令」）あるいは「コード」セットを有するコンピュータプログラム製品を備える。例えば、コードセットは、フロッピー（登録商標）ディスク、ＣＤＲＯＭ、メモリカード、フラッシュメモリデバイス、ＲＡＭ、ＲＯＭ、またはＲＦハンドオフ論理３００に対してインターフェースをとる任意のその他のタイプのメモリデバイスもしくは機械可読媒体などの機械可読媒体からＲＦハンドオフ論理３００内にロードされ得る。別の態様では、コードセットは、外部デバイスまたはネットワークリソースからＲＦハンドオフ論理３００内にダウンロードされ得る。コードセットは、実行された場合、コンピュータに本明細書で説明されるハンドオフシステムの態様を提供させる。
【００７４】
ＲＦチャネル監視
一態様では、デバイスにおいて、このハンドオフシステムは、デバイスの現在のＬＯＩ内および近傍のＬＯＩ内で運ばれるＲＦチャネルに関する信号強度に関係する情報を維持する目的で、これらのＲＦチャネルの監視を実行するために動作する。例えば、処理論理３０２は、現在のＬＯＩ内および近傍のＬＯＩ内のＲＦチャネルに関する受信信号強度指示子（ＲＳＳＩ）を取得するために動作する。それぞれの利用可能なＲＦチャネルに関して、処理論理３０２は、ＲＳＳＩ測定に関連するタイムスタンプを維持することも可能である。ＲＳＳＩ測定に関連するこのタイムスタンプは、古いＲＳＳＩ記入項を無効にするために使用され得る。処理論理３０２は、局所メモリ内にＲＦチャネル監視情報のテーブルを維持するために動作する。ハンドオフの間、処理論理３０２は、ハンドオフ向けのＲＦチャネルを選択するためのＲＦチャネル監視の間に収集された情報を利用する。例えば、信号強度情報は、ハンドオフのためにシームレスハンドオフテーブル内および部分的シームレスハンドオフテーブル内のＲＦチャネルを評価するために使用される。
【００７５】
広域コンテンツハンドオフおよび局所コンテンツハンドオフ
一態様では、このハンドオフシステムは、ハンドオフ事象に基づいてＲＦハンドオフを開始するために動作する。このＲＦハンドオフは、広域コンテンツフローおよび／または局所コンテンツフローに関して開始され得る。一態様では、デバイスが所望される広域コンテンツフローだけを復号することを試みていて、コンテンツ獲得の失敗が検出された場合、広域コンテンツＲＦハンドオフが開始されることになる。一態様では、デバイスが所望される局所コンテンツフローだけを復号することを試みていて、コンテンツ獲得の失敗が検出された場合、局所コンテンツＲＦハンドオフが開始されることになる。別の態様では、デバイスが所望される広域フローおよび局所フローの両方を復号することを試みていて、コンテンツ獲得の失敗が検出された場合、広域＋局所コンテンツＲＦハンドオフが開始されることになる。広域コンテンツＲＦハンドオフは、少なくとも所望される広域コンテンツを運ぶＲＦへのハンドオフを目的とする。局所コンテンツＲＦハンドオフは、少なくとも所望される局所コンテンツを運ぶＲＦへのハンドオフを目的し、広域＋局所コンテンツＲＦハンドオフは、所望される広域コンテンツおよび局所コンテンツの両方を運ぶＲＦへのハンドオフを目的とする。特定の（広域、局所、または広域＋局所）ＲＦハンドオフタイプは、関連するシームレスハンドオフテーブル内または部分的シームレスハンドオフテーブル内のＲＦチャネルへのハンドオフを開始することになる。例えば、広域コンテンツＲＦハンドオフは、所望される広域コンテンツに関連するシームレスハンドオフテーブル内または部分的シームレスハンドオフテーブル内のＲＦチャネルへのハンドオフを開始することになる。
【００７６】
リアルタイムコンテンツハンドオフおよび非リアルタイムコンテンツハンドオフ
ハンドオフ事象は、デバイスがリアルタイムコンテンツフローを獲得することを試みていて、コンテンツ獲得の失敗が発生した場合に開始され得る。ハンドオフ事象は、当該デバイスが非リアルタイムコンテンツフローを獲得することを試みていて、コンテンツ獲得の失敗が発生した場合にも開始され得る。リアルタイムフローは、アクティブ化されたフローとも呼ばれ、非リアルタイムフローは、登録されたフローとも呼ばれる。これらのフローに関するデータを捕捉するためのデータ獲得手順は、様々な形で実行され得る。例えば、上で参照された出願（２００７年４月４日に出願された、「Ｍｅｔｈｏｄｓ  ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」という表題の仮出願第６０／９１０，１９１号、および２００７年６月２０日に出願された、「Ｍｅｔｈｏｄｓ  Ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」という表題の仮出願第６０／９４５，３１７号）では、アクティブ化された（リアルタイム）フローおよび登録された（非リアルタイム）フローに関するデータを捕捉するための１つのデータ獲得手順が提供される。ＲＦハンドオフを実行するためのこのハンドオフプロセスは、アクティブ化されたフローおよび登録されたフローの両方に関して同じであるが、このハンドオフプロセスは、アクティブ化されたフローおよび登録されたフローに関して異なるタイマ周期にわたって動作することが可能である。アクティブ化されたフローおよび登録されたフローに関するハンドオフプロセスの詳細な説明は、本書のその他の項において記録される。
【００７７】
ハンドオフ事象トリガ基準
一態様では、ハンドオフ事象は、アクティブ化されたフローおよび登録されたフローに関係するある基準によってトリガされる。ハンドオフ事象トリガ基準は、アクティブ化されたフローおよび登録されたフローに関して別々に評価される。アクティブ化されたフローおよび登録されたフローの両方が復号されている場合、ハンドオフ事象トリガ基準は、アクティブ化されたフローだけに関して評価される。これは、アクティブ化されたフロー（すなわち、リアルタイムフロー）には、登録されたフロー（すなわち、非リアルタイムフロー）よりも高い優先順位が与えられているためである。ＯＩＳおよび制御チャネル（ＣＣ）を含むオーバヘッド情報の適切なセットの獲得の失敗は、アクティブ化されたフローおよび登録されたフローの両方へのハンドオフ事象をトリガすることになる。このオーバヘッド情報は、アクティブ化されたフローおよび登録されたフローに関するフローデータを獲得するために使用される。
【００７８】
様々な態様では、以下の条件のうちの１つまたは複数が、アクティブ化されたフローへのハンドオフ事象をトリガする。
【００７９】
１．所望される広域なアクティブ化されたフローおよび／または局所なアクティブ化されたフローに関する適切なＯＩＳおよび（要求される場合）制御チャネル（ＣＣ）の獲得の失敗。例えば、広域なアクティブ化されたフローだけが復号されている場合、現在のＲＦ上のＷＯＩＳおよび広域ＣＣは失敗する。
【００８０】
２．現在のＲＦ上のすべてのアクティブ化されたフローに関するデータ獲得の失敗。
【００８１】
３．広域なアクティブ化されたフローおよび局所なアクティブ化されたフローの両方が現在のＲＦチャネル上で復号されている場合、局所ＯＩＳおよび（要求される場合）局所ＣＣの獲得の失敗。
【００８２】
４．現在のＲＦ上のアクティブ化されたフローのサブセットに関するデータ獲得の失敗。
【００８３】
登録されたフローの獲得の場合、デバイスは選択されたフローグループ（ＦＧ）を決定して、その選択されたＦＧに関連する登録されたフローを復号することを試みる。例えば、一態様では、フローグループは、優先順位など、選択された基準に基づいて一緒にグループ化された非リアルタイムデータフローのグルーピングを備える。上で参照された出願（２００７年４月４日に出願された、「ｍｅｔｈｏｄｓ  ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」という表題の仮出願第６０／９１０，１９１号、および２００７年６月２０日に出願された、「Ｍｅｔｈｏｄｓ  Ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」という表題の仮出願第６０／９４５，３１７号）では、様々なタイプのフローグループの例が提供される。このデバイスは、選択されたＦＧと同じＲＦチャネルによって運ばれる任意のその他の登録されたフローを復号することも試みる。様々な態様では、以下の条件のうちの１つまたは複数が、登録されたフローへのハンドオフ事象をトリガする。
【００８４】
１．選択されたフローグループ（ＦＧ）内の広域な登録されたフローおよび／または局所な登録されたフローに関する適切なＯＩＳおよび（要求される場合）ＣＣの獲得の失敗。例えば、選択されたＦＧが広域な登録されたフローだけを有する場合、ＷＯＩＳおよび広域ＣＣは失敗する。
【００８５】
２．選択されたＦＧ内のすべての登録されたフローに関するデータ獲得の失敗。
【００８６】
３．選択されたＦＧが広域な登録されたフローおよび局所な登録されたフローの両方を含む場合、局所ＯＩＳおよび（要求される場合）局所ＣＣの獲得の失敗。
【００８７】
４．選択されたＦＧ内の登録されたフローのサブセットに関するデータ獲得の失敗。
【００８８】
シームレスハンドオフテーブル
一態様では、このハンドオフシステムは、現在のＬＯＩ内のＲＦチャネル上で運ばれる広域コンテンツ多重化および局所コンテンツ多重化に関するシームレスハンドオフテーブルを生成および維持するために動作する。一態様では、所与の広域コンテンツ多重化および局所コンテンツマルチプレックに関するシームレスハンドオフテーブルは、それぞれ、同じ所与の広域コンテンツ多重化および局所コンテンツ多重化を運ぶ近傍のＲＦチャネルを含み、近傍のＲＦチャネルに関連するＬＯＩは、それぞれ、現在のＬＯＩ内で運ばれるのと同じ広域コンテンツ多重化および局所コンテンツ多重化のセットまたはスーパーセットを運ぶ。一態様では、広域＋局所多重化の所与の組合せに関するシームレスハンドオフテーブルは、広域＋局所コンテンツ多重化の同じ組合せを運ぶ近傍のＲＦチャネルを含み、これらの近傍のＲＦに関連するＬＯＩは、現在のＬＯＩ内で運ばれるのと同じ広域コンテンツ多重化および局所コンテンツ多重化のセットまたはスーパーセットを運ぶ。所与のシームレスハンドオフテーブル内に含まれる近傍のＲＦは、関連する（１つまたは複数の）コンテンツ多重化に関するシームレスＲＦと呼ばれる。
【００８９】
以下のタイプのシームレスハンドオフテーブルが維持される。
【００９０】
ａ．広域シームレスハンドオフテーブル。現在のＬＯＩ内で運ばれるそれぞれの広域コンテンツ多重化に関して別々の広域シームレスハンドオフテーブルが生成および維持される。このテーブルは、同じ広域コンテンツ多重化を運ぶ近傍のＲＦチャネルを識別し、それらの関連するＬＯＩは、現在のＬＯＩと同じ広域コンテンツ多重化のセットまたはスーパーセットを運ぶ。
【００９１】
ｂ．局所シームレスハンドオフテーブル。現在のＬＯＩ内で運ばれるそれぞれの局所コンテンツ多重化に関して別々の局所シームレスハンドオフテーブルが生成および維持される。このテーブルは、同じ局所コンテンツ多重化を運ぶ近傍のＲＦチャネルを識別し、それらの関連するＬＯＩは、現在のＬＯＩと同じ局所コンテンツ多重化のセットまたはスーパーセットを運ぶ。
【００９２】
ｃ．広域＋局所シームレスハンドオフテーブル。現在のＬＯＩ内の単一のＲＦ上で運ばれる広域＋局所コンテンツ多重化のそれぞれの組合せに関して、別々の広域＋局所シームレスハンドオフテーブが生成および維持される。このテーブルは、広域＋局所コンテンツ多重化の同じ組合せを運ぶ近傍のＲＦチャネルを識別し、それらの関連するＬＯＩは、現在のＬＯＩと同じ広域＋局所コンテンツ多重化のセットまたはスーパーセットを運ぶ。
【００９３】
近傍のＲＦによって運ばれるコンテンツに応じて、シームレスハンドオフテーブルは、現在のＬＯＩ内で運ばれる（広域、局所、または広域＋局所）コンテンツ多重化のうちの１つまたは複数に関して空であり得る。一態様では、シームレスハンドオフテーブルは、以下に関係するそれぞれのシームレスＲＦチャネルに関する情報を維持する。すなわち、ｉ）そのシームレスＲＦチャネルに関連するＬＯＩとデバイスの現在のＬＯＩの間で共通の広域コンテンツ多重化および局所コンテンツ多重化の総数、ならびにｉｉ）そのシームレスＲＦチャネルに関連するＬＯＩ内で運ばれるコンテンツ多重化の全総数である。シームレスＲＦチャネルに関して維持される情報（ｉ）および（ｉｉ）は、ＲＦハンドオフを実行する目的で、これらのＲＦチャネルをランク付けするために使用される。
【００９４】
図４は、ハンドオフシステムの態様において広域シームレスハンドオフテーブルおよび局所シームレスハンドオフテーブルとして使用するのに適した例示的なシームレスハンドオフテーブル４００を示す。一態様では、シームレスハンドオフテーブル４００は、処理論理３０２によって生成される。シームレスハンドオフテーブル４００は、それに関して、このシームレスハンドオフテーブルが生成される広域コンテンツ多重化または局所コンテンツ多重化を識別するコンテンツ多重化識別子４０２を備える。シームレスハンドオフテーブル４００は、ＲＦ周波数と、コンテンツ多重化識別子４０２によって識別された広域コンテンツ多重化または局所コンテンツ多重化を運ぶ、関連する近傍のＬＯＩとを識別する｛ＲＦ，ＬＯＩ｝識別子４０４も備える。シームレスハンドオフテーブル４００は、識別されたシームレスＲＦに関連するＬＯＩと現在のＬＯＩの間で共通の多重化の総数を示す共通多重化の全体数指示子４０６も備える。シームレスハンドオフテーブル４００は、識別されたシームレスＲＦに関連するＬＯＩ内で利用可能な多重化の総数を示す多重化の総数指示子４０８も備える。
【００９５】
図５は、ハンドオフシステムの態様において広域＋局所シームレスハンドオフに使用するのに適した例示的な広域＋局所シームレスハンドオフテーブル５００を示す。一態様では、広域＋局所シームレスハンドオフテーブル５００は、処理論理３０２によって生成される。広域＋局所シームレスハンドオフテーブル５００は、このシームレスハンドオフテーブルが生成される広域＋局所コンテンツ多重化の組合せを識別するコンテンツ多重化識別子５０２を備える。広域＋局所シームレスハンドオフテーブル５００は、ＲＦ周波数と、コンテンツ多重化識別子５０２によって識別された広域＋局所コンテンツ多重化を運ぶ関連する近傍のＬＯＩとを識別する｛ＲＦ，ＬＯＩ｝識別子５０４も備える。シームレスハンドオフテーブル５００は、識別されたシームレスＲＦに関連するＬＯＩ内で利用可能な多重化の総数を示す多重化の総数指示子５０６も備える。
【００９６】
部分的シームレスハンドオフテーブル
一態様では、このハンドオフシステムは、現在のＬＯＩ内のＲＦチャネル上で運ばれる広域コンテンツ多重化および局所コンテンツ多重化に関する部分的シームレスハンドオフテーブルを生成および維持するために動作する。一態様では、所与の広域コンテンツ多重化または局所コンテンツ多重化に関する部分的シームレスハンドオフテーブルは、それぞれ、同じ所与の広域コンテンツ多重化または局所コンテンツ多重化を運ぶ近傍のＲＦチャネルを含み、この近傍のＲＦに関連するＬＯＩは、現在のＬＯＩ内で運ばれるのと同じそれぞれの広域コンテンツ多重化または局所コンテンツ多重化のセットもしくはスーパーセットを運ばない。一態様では、広域＋局所多重化の所与の組合せに関する部分的シームレスハンドオフテーブルは、広域＋局所コンテンツ多重化の同じ組合せを運ぶ近傍のＲＦチャネルを含み、近傍のＲＦに関連するＬＯＩは、現在のＬＯＩ内で運ばれるのと同じ広域コンテンツ多重化および局所コンテンツ多重化のセットまたはスーパーセットを運ばない。所与の部分的シームレスハンドオフテーブル内に含まれた近傍のＲＦは、関連する（１つまたは複数の）コンテンツ多重化に関する部分的シームレスＲＦと呼ばれる。定義に従って、所与のコンテンツ多重化に関するシームレスＲＦおよび部分的シームレスＲＦのセットは解体される。
【００９７】
様々な態様では、以下のタイプの部分的シームレスハンドオフテーブルが維持される。
【００９８】
ａ．広域な部分的シームレスハンドオフテーブル。現在のＬＯＩ内で運ばれるそれぞれの広域コンテンツ多重化に関して別々の広域な部分的シームレスハンドオフテーブルが生成および維持される。このテーブルは、同じ広域コンテンツ多重化を運ぶ近傍のＲＦチャネルを識別し、それらの関連するＬＯＩは、現在のＬＯＩと同じ広域コンテンツ多重化のセットまたはスーパーセットを運ばない。
【００９９】
ｂ．局所な部分的シームレスハンドオフテーブル。現在のＬＯＩ内で運ばれるそれぞれの局所コンテンツ多重化に関して、別々の局所な部分的シームレスハンドオフテーブルが生成および維持される。このテーブルは、同じ局所コンテンツ多重化を運ぶ近傍のＲＦチャネルを識別し、それらの関連するＬＯＩは、現在のＬＯＩと同じ局所コンテンツ多重化のセットまたはスーパーセットを運ばない。
【０１００】
ｃ．広域＋局所な部分的シームレスハンドオフテーブル。現在のＬＯＩ内の単一のＲＦ上で運ばれる広域＋局所コンテンツ多重化のそれぞれの組合せに関して、別々の広域＋局所な部分的シームレスハンドオフテーブルが生成および維持される。このテーブルは、広域＋局所コンテンツ多重化の同じ組合せを運ぶ近傍のＲＦチャネルを識別し、それらの関連するＬＯＩは、現在のＬＯＩと同じ広域＋局所コンテンツ多重化のセットまたはスーパーセットを運ばない。
【０１０１】
近傍のＲＦによって運ばれるコンテンツに応じて、部分的シームレスハンドオフテーブルは、現在のＬＯＩ内で運ばれる（広域、局所または広域＋局所）コンテンツ多重化のうちの１つまたは複数に関して空であり得る。一態様では、部分的シームレスハンドオフテーブルは、以下に関係するそれぞれの部分的シームレスＲＦチャネルに関する情報を維持する。すなわち、ｉ）部分的シームレスＲＦチャネルに関連するＬＯＩとデバイスの現在のＬＯＩの間で共通の広域コンテンツ多重化および局所コンテンツ多重化の総数、ならびにｉｉ）その部分的シームレスＲＦチャネルに関連するＬＯＩ内で運ばれるコンテンツ多重化の全総数である。部分的シームレスＲＦチャネルに関して維持される情報（ｉ）および（ｉｉ）は、ＲＦハンドオフを実行する目的で、これらのＲＦチャネルをランク付けするために使用される。
【０１０２】
図６は、ハンドオフシステムの態様において使用するための広域な部分的シームレスハンドオフテーブル、局所な部分的シームレスハンドオフテーブル、または広域＋局所な部分的シームレスハンドオフテーブルとして使用するのに適した例示的な部分的シームレスハンドオフテーブル６００を示す。一態様では、部分的シームレスハンドオフテーブル６００は、処理論理３０２によって生成される。部分的シームレスハンドオフテーブル６００は、それに関して、部分的シームレスハンドオフテーブルが生成される広域コンテンツ多重化、局所コンテンツ多重化、または広域＋局所コンテンツ多重化を識別するコンテンツ多重化識別子６０２を備える。部分的シームレスハンドオフテーブル６００は、ＲＦ周波数と、コンテンツ多重化識別子６０２によって識別された広域コンテンツ多重化、局所コンテンツ多重化、または広域＋局所コンテンツ多重化を運ぶ、関連する近傍のＬＯＩとを識別する｛ＲＦ，ＬＯＩ｝識別子６０４も備える。
【０１０３】
部分的シームレスハンドオフテーブル６００は、識別された部分的シームレスＲＦに関連するＬＯＩと現在のＬＯＩの間に共通の多重化の総数を示す共通の多重化の全体数指示子６０６も備える。部分的シームレスハンドオフテーブル６００は、識別された部分的シームレスＲＦに関連するＬＯＩ内で利用可能な多重化の総数を示す多重化の総数指示子６０８も備える。
【０１０４】
ハンドオフテーブルの例
図１３は、ハンドオフシステムの態様において使用するためのシームレスハンドオフテーブル１３００の例を示す。例えば、デバイス１１２は、現在、ＬＯＩ２内に配置され、ＬＯＩ２内のＲＦ２上またはＲＦ３上で送信されたＷＩＤ１、ＷＩＤ２、ＬＩＤ１、ＬＩＤ２に関連するコンテンツ多重化を受信するために動作可能であると想定されることになる。したがって、シームレスハンドオフテーブル１３００は、ＬＯＩ２内で動作しているデバイス１１２に関連するため、図１に例示されたネットワーク構成内のコンテンツの分布を反映する。
【０１０５】
ＬＯＩ２内の広域コンテンツに関連する広域シームレスハンドオフテーブルが、１３０２および１３０４において示される。広域シームレスハンドオフテーブル１３０２は、ＷＩＤ１によって識別された広域コンテンツ多重化と関連付けられ、同じ広域コンテンツ多重化を運ぶ、ＬＯＩ３内のシームレスＲＦチャネルＲＦ４を含む。加えて、テーブル１３０２は、ＬＯＩ３が、ＬＯＩ２と共通の４つ（４）の多重化を有し、ＬＯＩ３内で運ばれる多重化の総数が４つ（４）であることを示す。
【０１０６】
広域シームレスハンドオフテーブル１３０４は、ＷＩＤ２によって識別された広域コンテンツマルチプレックと関連付けられ、同じ広域コンテンツ多重化を運ぶ、ＬＯＩ３内のシームレスＲＦチャネルＲＦ５を含む。加えて、テーブル１３０４は、ＬＯＩ３が、ＬＯＩ２と共通の４つ（４）の多重化を有し、ＬＯＩ３内で運ばれる多重化の総数が４つ（４）であることを示す。
【０１０７】
局所シームレスハンドオフテーブルが１３０６および１３０８に示される。局所シームレスハンドオフテーブル１３０６は、ＬＩＤ１によって識別された局所コンテンツ多重化と関連付けられ、同じ局所コンテンツ多重化を運ぶ、ＬＯＩ３内のシームレスＲＦチャネルＲＦ４を含む。加えて、テーブル１３０６は、ＬＯＩ３が、ＬＯＩ２と共通の４つ（４）の多重化を有し、ＬＯＩ３内の多重化の総数が４つ（４）であることを示す。
【０１０８】
局所シームレスハンドオフテーブル１３０８は、ＬＩＤ２によって識別された局所コンテンツ多重化と関連付けられ、同じ局所コンテンツ多重化を運ぶ、ＬＯＩ３内のシームレスＲＦチャネルＲＦ５を含む。加えて、テーブル１３０８は、ＬＯＩ３が、ＬＯＩ２と共通の４つ（４）の多重化を有し、ＬＯＩ３内の多重化の総数が４つ（４）であることを示す。
【０１０９】
広域＋局所シームレスハンドオフテーブルが１３１０および１３１２に示される。広域＋局所シームレスハンドオフテーブル１３１０は、ＷＩＤ１＋ＬＩＤ１によって識別された広域＋局所コンテンツ多重化の組合せと関連付けられ、広域＋局所コンテンツ多重化の同じ組合せを運ぶ、ＬＯＩ３内のシームレスＲＦチャネルＲＦ４を含む。加えて、テーブル１３１０は、ＬＯＩ３内の多重化の総数が４つ（４）であることを示す。
【０１１０】
広域＋局所シームレスハンドオフテーブル１３１２は、ＷＩＤ２＋ＬＩＤ２によって識別された広域＋局所コンテンツ多重化の組合せと関連付けられ、広域＋局所コンテンツ多重化の同じ組合せを運ぶ、ＬＯＩ３内のシームレスＲＦチャネルＲＦ５を含む。加えて、テーブル１３０８は、ＬＯＩ３内の多重化の総数が４つ（４）であることを示す。
【０１１１】
したがって、シームレスハンドオフテーブル１３００は、ハンドオフシステムの態様において使用するために、ＬＯＩ２内の広域コンテンツ多重化および／または局所コンテンツ多重化と、シームレスＲＦチャネルならびにこれらのコンテンツ多重化に関するそれらの関連するＬＯＩ識別子と、シームレスＲＦに関連するＬＯＩに関する多重化情報とを識別する。
【０１１２】
図１４は、ハンドオフシステムの態様において使用するための部分的シームレスハンドオフテーブル１４００の例を示す。例えば、デバイス１１２は、現在、ＬＯＩ２内に配置され、ＬＯＩ２内のＲＦ２上またはＲＦ３上で送信されたＷＩＤ１、ＷＩＤ２、ＬＩＤ１、ＬＩＤ２と関連するコンテンツ多重化を受信するために動作可能であると想定されることになる。したがって、部分的シームレスハンドオフテーブル１４００は、ＬＯＩ２において動作しているデバイス１１２に関するため、図１に例示されたネットワーク構成におけるコンテンツの配信を反映する。
【０１１３】
広域な部分的シームレスハンドオフテーブルが１４０２に示される。広域な部分的シームレスハンドオフテーブル１４０２は、ＷＩＤ１によって識別された広域コンテンツ多重化と関連付けられ、同じ広域コンテンツ多重化を運ぶ、ＬＯＩ１内の部分的シームレスＲＦチャネルＲＦ１、およびＬＯＩ４内の部分的シームレスＲＦチャネルＲＦ６を含む。ＬＯＩ１の場合、テーブル１４０２は、ＬＯＩ１がＬＯＩ２と共通の１つ（１）の多重化を有し、ＬＯＩ１内の多重化の総数が２つ（２）であることを示す。ＬＯＩ４の場合、テーブル１４０２は、ＬＯＩ４がＬＯＩ２と共通の２つ（２）の多重化を有し、ＬＯＩ４内の多重化の総数が２つ（２）であることを示す。
【０１１４】
局所な部分的シームレスハンドオフテーブルが１４０４に示される。局所な部分的シームレスハンドオフテーブル１４０４は、ＬＩＤ１によって識別された局所コンテンツ多重化と関連付けられ、同じ局所コンテンツ多重化を運ぶ、ＬＯＩ４内の部分的シームレスＲＦチャネルＲＦ６を含む。加えて、テーブル１４０４は、ＬＯＩ４が、ＬＯＩ２と共通の２つ（２）の多重化を有し、ＬＯＩ４内の多重化の総数が２つ（２）であることを示す。
【０１１５】
広域＋局所な部分的シームレスハンドオフテーブルが１４０６に示される。広域＋局所な部分的シームレスハンドオフテーブル１４０６は、ＷＩＤ１＋ＬＩＤ１によって識別された広域＋局所コンテンツ多重化の組合せと関連付けられ、広域＋局所コンテンツ多重化の同じ組合せを運ぶ、ＬＯＩ４内のシームレスＲＦチャネルＲＦ６を含む。加えて、テーブル１４０６は、ＬＯＩ４が、ＬＯＩ２と共通の２つ（２）の多重化を有し、ＬＯＩ４内の多重化の総数が２つ（２）であることを示す。ＷＩＤ２、ＬＩＤ２およびＷＩＤ２＋ＬＩＤ２に関する部分的シームレスハンドオフテーブルは空であり、したがって、示されない点に留意されたい。
【０１１６】
したがって、部分的シームレスハンドオフテーブル１４００は、ハンドオフシステムの態様において使用するために、ＬＯＩ２内の広域コンテンツ多重化および／または局所コンテンツ多重化と、部分的シームレスＲＦチャネルならびにそれらのコンテンツ多重化に関するそれらの関連するＬＯＩ識別子と、部分的シームレスＲＦに関連するＬＯＩに関する多重化情報とを識別する。
【０１１７】
ＲＦチャネルのランキング
一態様では、シームレスハンドオフテーブル内および部分的シームレスハンドオフテーブル内のＲＦチャネルは、これらのテーブル内に維持された情報に基づいてランク付けされる。シームレスハンドオフテーブル内および部分的シームレスハンドオフテーブル内に含まれた近傍のＲＦチャネルは、以下を達成するためにランク付けされる。すなわち、ｉ）近傍のＲＦチャネルに関連するＬＯＩとデバイスの現在のＬＯＩの間で共通の広域コンテンツ多重化および／または局所コンテンツ多重化の数を最大化するため、およびｉｉ）近傍のＲＦチャネルに関連するＬＯＩ内のコンテンツ多重化の全総数を最大化するためである。近傍のシームレスＲＦチャネルおよび部分的シームレスＲＦチャネルは、拡張されたユーザ経験を提供するためのハンドオフ実行のために、それらのランキング順序で評価される。様々な態様では、広域シームレスハンドオフテーブル内および局所シームレスハンドオフテーブル内の近傍のＲＦチャネルは次のようにランク付けされる。
【０１１８】
１．関連するＬＯＩ内により多くの数の（デバイスの現在のＬＯＩと）共通の多重化を有するＲＦチャネルにより高いランクが割り当てられる。
【０１１９】
２．デバイスの現在のＬＯＩと同じ数の共通の多重化を有するＲＦチャネルのうち、関連するＬＯＩ内により多くの数の全多重化を有するＲＦチャネルにより高いランクが割り当てられる。
【０１２０】
３．同じ数の全多重化を有するＲＦチャネルのうち、ＲＦチャネルには任意のランダムな順序でランキングが割り当てられてよい。
【０１２１】
様々な態様では、広域＋局所シームレスハンドオフテーブル内の近傍のＲＦチャネは次のようにランク付けされる。
【０１２２】
１．関連するＬＯＩ内により多い数の全多重化を有するＲＦチャネルにより高いランクが割り当てられる。
【０１２３】
２．同じ数の全多重化を有するＲＦチャネルのうち、ＲＦチャネルには任意のランダムな順序でランキングが割り当てられてよい。
【０１２４】
様々な態様では、広域な部分的シームレスハンドオフテーブル内、局所な部分的シームレスハンドオフテーブル内、および広域＋局所な部分的シームレスハンドオフテーブル内の近傍のＲＦチャネルは、次のようにランク付けされる。
【０１２５】
１．関連するＬＯＩ内により多い数の（デバイスの現在のＬＯＩと）共通の多重化を有するＲＦチャネルにより高いランクが割り当てられる。
【０１２６】
２．関連するＬＯＩ内に同じ数の共通の多重化を有するＲＦチャネルのうち、より多い数の全多重化を有するＲＦチャネルにより高いランクが割り当てられる。
【０１２７】
３．関連するＬＯＩ内に同じ数の全多重化を有するＲＦチャネルのうち、ＲＦチャネルには任意のランダムな順序でランキングが割り当てられてよい。
【０１２８】
別の態様では、シームレスＲＦチャネルおよび部分的シームレスＲＦチャネルをランク付けするために、関連するＬＯＩ内で共通の広域コンテンツ多重化および／または局所コンテンツ多重化を運んでいるＲＦチャネルに関するＲＳＳＩ値も（利用可能な場合）使用され得る。関連するＬＯＩ内で共通の広域コンテンツ多重化および／または局所コンテンツ多重化を運んでいるＲＦチャネルに関連してより高いＲＳＳＩ値を有するシームレスＲＦチャネルおよび部分的シームレスＲＦにより高いランクが割り当てられてよい。これは、ハンドオフの後で、新しいＬＯＩ内の共通の多重化のより良好な利用可能性を提供することになる。シームレスＲＦチャネルおよび部分的シームレスＲＦチャネルは、ＲＦハンドオフを実行するためのそれらのランキング順序で評価される。一態様では、シームレスＲＦチャネルまたは部分的シームレスＲＦチャネルが信号強度基準を満たす場合だけ、当該シームレスＲＦチャネルまたは当該部分的シームレスＲＦチャネルはハンドオフに関して考慮され、この場合、ＲＦチャネルに関するＲＳＳＩは定義されたしきい値より大きい。
【０１２９】
ハンドオフの概要
近傍のＬＯＩ内のＲＦチャネルに対するＲＦハンドオフは、所望されるコンテンツに関してハンドオフ事象（すなわち、コンテンツ獲得の失敗）が検出されるときはいつでも開始される。ハンドオフを実行するために、所望されるコンテンツに関連するシームレスハンドオフテーブル内および部分的シームレスハンドオフテーブル内のＲＦチャネルが考慮される。ハンドオフＲＦリストは、所望されるコンテンツに関連するシームレスＲＦチャネルおよび部分的シームレスＲＦチャネルを組み合わせることによって生成される。ハンドオフＲＦリストにおいて、シームレスＲＦチャネルは、部分的シームレスＲＦチャネルよりもより高い位置にリストアップされる。また、ハンドオフＲＦリスト内において、シームレスＲＦチャネルおよび部分的シームレスＲＦチャネルの個々のセットは、それらのそれぞれのランク順序でリストアップされる。ハンドオフＲＦリスト内のＲＦは、それらの記録された順序でハンドオフのために評価される。
【０１３０】
ハンドオフ事象が初めて開始された場合、現在のＲＦチャネルを特定するＨａｎｄｏｆｆ＿Ｔｒｉｇｇｅｒ＿ＲＦパラメータが維持される。特定の近傍のＲＦへのハンドオフを実行するために、その近傍のＲＦはＲＦ選択基準を満たさなければならない。ＲＦ選択基準を満たすことは、選択されたＲＦチャネルのＲＳＳＩは定義されたしきい値よりも大きいべきであるという信号強度基準を満たすことと、ハンドオフ基準を満たすこととを必要とする。ハンドオフ基準は、Ｈａｎｄｏｆｆ＿Ｔｒｉｇｇｅｒ＿ＲＦに関して評価される。一態様では、以下が当てはまる場合、近傍のＲＦはハンドオフ基準を満たす。
【数１】
2010531123.tif 000003
【０１３１】
ＲＳＳＩ＿Ｈｙｓｔｅｒｉｓｉｓは、近傍のＲＦとＨａｎｄｏｆｆ＿Ｔｒｉｇｇｅｒ＿ＲＦの間のピンポン（ping ponging）を最小限に抑えるために使用される。その近傍のＲＦ上でＷＯＩＳが成功裏に獲得された場合、Ｈａｎｄｏｆｆ＿Ｔｒｉｇｇｅｒ＿ＲＦパラメータは、その近傍のＲＦに設定される。
【０１３２】
所望されるコンテンツに関する近傍のシームレスＲＦおよび部分的シームレスＲＦのセット内のＲＦへのハンドオフは、有限期間にわたって試みられる。ハンドオフが実行されるべき期間を特定するために、ハンドオフタイマが維持される。ハンドオフタイマは、アクティブ化されたフローおよび登録されたフローに関して異なる値に設定されてよい。例えば、アクティブ化されたフローのリアルタイム性質のため、ハンドオフタイマは、登録されたフローと比較して、アクティブ化されたフローに関してより大きな値に設定されてよい。ハンドオフタイマが失効した後で、所望されるコンテンツが獲得され得ない場合、システムは、所望されるコンテンツを取得することを試みることを放棄する。ハンドオフタイマが失効した後の、アクティブ化されたフローおよび登録されたフローに関するこのデバイス行動は、本書の別の項に記載される。
【０１３３】
図７は、ハンドオフシステムの態様において使用するためのハンドオフを実行するための方法７００を示す。分かりやすいように、方法７００は、本明細書において、図３に示されたハンドオフ論理３００を参照して説明される。例えば、一態様では、処理論理３０２は、下で説明される機能を実行するために、ハンドオフ論理３００を制御するための１つまたは複数のコードセットを実行する。
【０１３４】
ブロック７０２において、ＮＤＭの一部として、近傍記述情報が受信される。例えば、近傍記述情報は、デバイスの現在のＬＯＩの近傍のＬＯＩと、それらの関連するＲＦチャネルと、（ＷＩＤ情報およびＬＩＤ情報によって識別された）これらのＲＦチャネル上で運ばれる多重化とを識別する。一態様では、近傍記述情報は、制御チャネル論理３０６によって制御チャネル上で受信されて、情報が処理論理３０２による使用のために復号されるメッセージ復号器３０４に渡される。
【０１３５】
ブロック７０４において、現在のＬＯＩ内およびその近傍のＬＯＩ内のＲＦチャネルに関する信号強度（ＲＳＳＩ）を測定するためにそれらのＲＦチャネルは監視される。一態様では、処理論理３０２は、現在のＬＯＩ内および近傍のＬＯＩ内のＲＦに関係する信号強度パラメータを要求および受信するために動作する。
【０１３６】
ブロック７０６において、シームレスハンドオフテーブルが生成および維持される。一態様では、処理論理３０２は、受信された近傍記述情報に基づいて、シームレスハンドオフテーブルを生成および維持するため動作する。例えば、現在のＬＯＩ内のそれぞれの多重化に関して、広域シームレスハンドオフテーブルおよび局所シームレスハンドオフテーブルが図４に例示されるようにフォーマットされ、広域＋局所シームレスハンドオフテーブルが図５に例示されるようにフォーマットされる。
【０１３７】
ブロック７０８において、部分的シームレスハンドオフテーブルが生成および維持される。一態様では、処理論理３０２は、受信された近傍記述情報に基づいて、部分的シームレスハンドオフテーブルを生成および維持するために動作する。例えば、現在のＬＯＩ内のそれぞれの多重化に関して、広域な部分的シームレスハンドオフテーブル、局所な部分的シームレスハンドオフテーブルおよび広域＋局所な部分的シームレスハンドオフテーブルは、図６に例示されるようにフォーマットされる。
【０１３８】
ブロック７１０において、所望されるコンテンツに関するハンドオフ事象が検出されているかどうかについて決定が下される。一態様では、処理論理３０２は、ハンドオフ事象を検出するために動作する。一態様では、ハンドオフ事象は、所望されるコンテンツに関連する獲得の失敗の結果としてトリガされる。例えば、獲得の失敗は、デバイスの移動度によって発生し得る。ハンドオフ事象が検出されない場合、このハンドオフ方法は終了する。ハンドオフ事象が検出された場合、この方法はブロック７１２に進む。
【０１３９】
ブロック７１２において、所望されるコンテンツに関連するシームレスハンドオフテーブル内に任意のＲＦチャネルが存在するかどうかについて決定が下される。一態様では、処理論理３０２は、維持されたシームレスハンドオフテーブルのセットに基づいて、この決定を下す。所望されるコンテンツに関連するシームレスハンドオフテーブル内に任意のＲＦチャネルが存在する場合、この方法はブロック７１４に進む。所望されるコンテンツに関連するシームレスハンドオフテーブル内にＲＦチャネルが存在しない場合、この方法はブロック７３２に進む。
【０１４０】
ブロック７１４において、所望されるコンテンツに関連するシームレスハンドオフテーブル内のＲＦチャネルは、増大するランクによって分類される。一態様では、処理論理３０２は、上で説明されたランキングアルゴリズムに従ってこの分類を実行するために動作する。
【０１４１】
ブロック７１６において、所望されるコンテンツに関連する部分的シームレスハンドオフテーブル内に任意のＲＦチャネルが存在するかどうかについて決定が下される。一態様では、処理論理３０２は、維持された部分的シームレスハンドオフテーブルのセットに基づいて、この決定を下す。所望されるコンテンツに関連する部分的シームレスハンドオフテーブル内に利用可能なＲＦチャネルが存在する場合、この方法はブロック７１８に進む。所望されるコンテンツに関連する部分的シームレスハンドオフテーブル内にＲＦチャネルが存在しない場合、この方法はブロック７２２に進む。
【０１４２】
ブロック７１８において、所望されるコンテンツに関連する部分的シームレスハンドオフテーブル内のＲＦチャネルは、増大するランクによって分類される。一態様では、処理論理３０２は、上で説明されたランキングアルゴリズムに従ってこの分類を実行するために動作する。
【０１４３】
ブロック７２０において、分類されたシームレスＲＦチャネルと、その後に続く分類された部分的シームレスＲＦチャネルとを備えるハンドオフＲＦリストが生成される。一態様では、処理論理３０２は、ハンドオフＲＦリストを生成するために動作する。
【０１４４】
ブロック７２２において、分類されたシームレスＲＦチャネルを備えるハンドオフＲＦリストが生成される。一態様では、処理論理３０２は、ハンドオフＲＦリストを生成するために動作する。
【０１４５】
ブロック７２４において、検出されたハンドオフトリガ事象が、上で説明された４つのハンドオフトリガ条件のうち第１または第２のハンドオフトリガ条件のうち１つに基づくかどうかについて決定が下される。一態様では、処理論理３０２がこの決定を下す。ハンドオフ事象が第１または第２のトリガ条件に基づく場合、この方法はブロック７２８に進む。ハンドオフ事象が第１または第２のトリガ条件に基づかない場合、この方法はブロック７２６に進む。
【０１４６】
ブロック７２６において、Ｈａｎｄｏｆｆ＿Ｔｒｉｇｇｅｒ＿ＲＦが現在のＲＦチャネルに割り当てられる。一態様では、処理論理３０２がこの割当てを行う。
【０１４７】
ブロック７２８において、ハンドオフタイマが開始される。一態様では、ハンドオフタイマは、タイマを開始するために動作する処理論理３０２によって維持される。一態様では、ハンドオフタイマパラメータは、アクティブ化されたフローおよび登録されたフローのために開始されたハンドオフに関して異なる値に設定されてよい。
【０１４８】
ブロック７３０において、現在のハンドオフＲＦリストに基づいて、ハンドオフ手順が実行される。一態様では、ハンドオフ手順は、図８に示される方法８００によって提供される。
【０１４９】
ブロック７３２において、所望されるコンテンツに関連する部分的シームレスハンドオフテーブル内に任意のＲＦチャネルが存在するかどうかについて決定が下される。一態様では、処理論理３０２は、維持された部分的シームレスハンドオフテーブルのセットに基づいてこの決定を下す。所望されるコンテンツに関連する部分的シームレスハンドオフテーブル内に任意のＲＦチャネルが存在する場合、この方法はブロック７３４に進む。所望されるコンテンツに関連する部分的シームレスハンドオフテーブル内にＲＦチャネルが存在しない場合、この方法はブロック７３８に進む。
【０１５０】
ブロック７３４において、所望されるコンテンツに関連する部分的シームレスハンドオフテーブル内のＲＦチャネルは、増大するランクによって分類される。一態様では、処理論理３０２は、上で説明されたランキングアルゴリズムに従って、この分類を実行するために動作する。
【０１５１】
ブロック７３６において、分類された部分的シームレスＲＦチャネルを備えるハンドオフＲＦリストが生成される。一態様では、処理論理３０２は、ハンドオフＲＦリストを生成するために動作する。
【０１５２】
ブロック７３８において、ハンドオフタイプが広域＋局所ハンドオフであるかどうかについて決定が下される。一態様では、処理論理３０２がこの決定を下す。ハンドオフが広域＋局所ハンドオフである場合、この方法はブロック７２４に進む。ハンドオフが広域＋局所ハンドオフでない場合、この方法はブロック７４０に進む。
【０１５３】
ブロック７４０において、現在のＬＯＩ内のＲＦチャネル上で所望されるコンテンツを獲得することが試みられる。これは、方法７００のこの時点で、所望されるコンテンツに関して利用可能なシームレスＲＦチャネルまたは部分的シームレスＲＦチャネルが存在しないことが決定されているからである。
【０１５４】
ブロック７４２において、ハンドオフタイプが広域＋局所であり、所望される広域＋局所コンテンツに関して、シームレスＲＦチャネルまたは部分的シームレスＲＦチャネルは利用可能でない。結果として、所望される広域コンテンツに関して広域ハンドオフを実行することが試みられる。広域ハンドオフが失敗した場合、所望される局所コンテンツに関して局所ハンドオフを実行することが試みられる。
【０１５５】
したがって、方法７００は、ハンドオフシステムの態様において使用するためのハンドオフを実行するために動作する。方法７００は、１つの実装形態だけを表し、これらの態様の範囲内のその他の実装形態が可能である点に留意されたい。
【０１５６】
図８は、ハンドオフシステムの態様において使用するためのハンドオフ手順を実行するための方法８００を示す。例えば、方法８００は、方法７００のブロック７３０において使用するのに適している。分かりやすいように、方法８００は、本明細書において、図３に示されるハンドオフ論理３００を参照して説明される。例えば、一態様では、処理論理３０２は、下で説明される機能を実行するために、ハンドオフ論理３００を制御するための１つまたは複数のコードセットを実行する。
【０１５７】
ブロック８０２において、獲得ＲＦリストが現在のハンドオフＲＦリストに等しく設定される。一態様では、ハンドオフＲＦリストは、方法７００を参照して上で議論されたように、処理論理３０２によって決定される。
【０１５８】
ブロック８０４において、獲得ＲＦリスト内のＲＦチャネルに関する信号強度（ＲＳＳＩ）を測定するためにこれらのＲＦチャネルが監視される。一態様では、処理論理３０２は、獲得ＲＦリスト内のＲＦのＲＦ信号強度特性（signal strength characteristic）を要求するためにデバイスにおいて受信論理と通信するために動作する。
【０１５９】
ブロック８０６において、獲得ＲＦリスト内のすべてのＲＦの信号強度が選択された信号強度しきい値未満であるかどうかについて決定が下される。一態様では、処理論理３０２は、この決定を下すために、獲得ＲＦリスト内のすべてのＲＦの信号強度特性を選択されたしきい値にと比較するために動作する。獲得ＲＦリスト内のすべてのＲＦの信号強度が当該しきい値以下である場合、この方法はブロック８０８に進む。獲得ＲＦリスト内に、選択されたしきい値より大きな信号強度を有する任意のＲＦが存在する場合、この方法はブロック８１４に進む。
【０１６０】
ブロック８０８において、ハンドオフタイマが失効したかどうかについて決定が下される。一態様では、処理論理３０２は、方法７００を参照して議論されたように（ブロック７２８において）ハンドオフタイマを維持する。処理論理３０２は、ハンドオフタイマが失効したかどうかを決定し、そうであれば、この方法はブロック８１２に進む。ハンドオフタイマが失効していない場合、この方法はブロック８１０に進む。
【０１６１】
ブロック８１２において、ハンドオフの失敗が宣言される。一態様では、獲得ＲＦリスト内のすべてのＲＦが選択されたしきい値以下の信号強度を有し、ハンドオフタイマは失効したため、処理論理３０２は、試みられたこのハンドオフが失敗したことを決定する。
【０１６２】
ブロック８１０において、獲得ＲＦリストは、現在のハンドオフＲＦリストに等しく設定される。一態様では、このハンドオフＲＦリストは、方法７００を参照して上で議論されたように、処理論理３０２によって決定される。
【０１６３】
ブロック８１４において、順序づけられた獲得ＲＦリスト内でＲＳＳＩ＞しきい値を有する第１のＲＦチャネルが選択される。次いで、選択されたＲＦチャネルに関するハンドオフ基準を評価するための評価が実行される。このハンドオフ基準は、上の方程式（１）によって説明されたように評価される。一態様では、処理論理３０２は、ＲＦ選択およびハンドオフ基準評価を行う。
【０１６４】
ブロック８１６において、ブロック８１４において評価されたハンドオフ基準が選択されたＲＦチャネルに関して満たされるかどうかを決定するための決定が下される。一態様では、処理論理３０２がこの決定を下す。獲得ＲＦリスト内の選択されたＲＦチャネルに関して、このハンドオフ基準が満たされる場合、この方法は、ブロック８１８に進む。このハンドオフ基準が満たされない場合、この方法はブロック８２０に進む。
【０１６５】
ブロック８２０において、選択されたＲＦチャネルは獲得ＲＦリストから除去される。一態様では、処理論理３０２は、ブロック８１６において決定されるように、このＲＦがハンドオフ基準を満たさなかったため、またはブロック８３０において決定されるように、選択されたＲＦ上でＯＩＳが成功裏に獲得され得なかったため、またはブロック８３８において決定されるように、選択されたＲＦ上で（要求される場合）ＣＣに関する獲得が失敗したため、またはブロック８４２において決定されるように、いずれのＭＬＣも成功裏に復号され得なかったため、選択されたＲＦを獲得ＲＦリストから除去する。
【０１６６】
ブロック８２２において、ハンドオフタイマが失効したかどうかについて決定が下される。一態様では、処理論理３０２は、方法７００を参照して議論されたように、ハンドオフタイマを維持する。処理論理３０２は、ハンドオフタイマが失効したかどうかについて決定を下し、そうであれば、この方法はブロック８２４に進む。ハンドオフタイマが失効していない場合、この方法はブロック８２６に進む。
【０１６７】
ブロック８２４において、ハンドオフの失敗が宣言される。一態様では、ハンドオフタイマは失効したため、処理論理３０２は、試みられたハンドオフが失敗したことを決定する。
【０１６８】
ブロック８２６において、獲得ＲＦリストが空である場合、獲得ＲＦリストはハンドオフＲＦリストに等しくリセットされる。一態様では、処理論理３０２は、獲得ＲＦリストが空かどうかを決定し、そうである場合、獲得ＲＦリストをハンドオフＲＦリストにリセットする。
【０１６９】
ブロック８１８において、当該ＲＦに関連するＷＩＤ／ＬＩＤを使用して、選択されたＲＦに対する切替が実行される。一態様では、処理論理３０２は、選択されたＲＦに切り替えるためにチャネル切替論理３１０を制御して、そのＲＦ上でコンテンツを逆スクランブルするために関連するＷＩＤ／ＬＩＤを使用する。
【０１７０】
ブロック８２８において、選択されたＲＦチャネル上でＯＩＳを獲得することが試みられる。一態様では、当該ＯＩＳはオーバヘッド入力論理３０６によって獲得される。
【０１７１】
ブロック８３０において、選択されたＲＦ上で当該ＯＩＳが成功裏に獲得されたかどうかについて決定が下される。一態様では、処理論理３０２がこの決定を下す。当該ＯＩＳが成功裏に獲得されなかった場合、この方法はブロック８３２に進む。当該ＯＩＳが成功裏に獲得された場合、この方法はブロック８３４に進む。
【０１７２】
ブロック８３２において、Ｈａｎｄｏｆｆ＿Ｔｒｉｇｇｅｒ＿ＲＦへの切替が行われる。一態様では、処理論理３０２は、選択されたＲＦ上で当該ＯＩＳ獲得が失敗したため、Ｈａｎｄｏｆｆ＿Ｔｒｉｇｇｅｒ＿ＲＦに戻るよう切り替えるためにチャネル切替論理３１０を制御する。
【０１７３】
ブロック８３４において、Ｈａｎｄｏｆｆ＿Ｔｒｉｇｇｅｒ＿ＲＦは、現在のＲＦに設定される。一態様では、処理論理３０２がこの動作を実行する。
【０１７４】
ブロック８３６において、必要な場合、適切な制御チャネルを獲得することが試みられる。一態様では、オーバヘッド入力論理３０６がこの動作を実行する。
【０１７５】
ブロック８３８において、制御チャネルが成功裏に獲得されたかどうかについて決定が下される。一態様では、処理論理３０２がこの決定を下す。制御チャネルが成功裏に獲得されなかった場合、この方法はブロック８２０に進む。制御チャネルが成功裏に獲得された場合、この方法はブロック８４０に進む。
【０１７６】
ブロック８４０において、現在のＲＦからメディア論理チャネル（ＭＬＣ）を復号することが試みられる。一態様では、受信論理は、デバイスにおいて、ＭＬＣを復号することを試みて、その結果を処理論理３０２に報告する。
【０１７７】
ブロック８４２において、所望されるコンテンツに関連する少なくとも１つのＭＬＣが成功裏に復号されたかどうかについて決定が下される。一態様では、処理論理３０２がこの決定を下す。所望されるコンテンツに関連する少なくとも１つのＭＬＣが成功裏に復号されなかった場合、この方法はブロック８２０に進む。所望されるコンテンツに関連する少なくとも１つのＭＬＣが成功裏に復号された場合、この方法はブロック８４４に進む。
【０１７８】
ブロック８４４において、ハンドオフは成功したと決定され、ハンドオフ手順は終了する。一態様では、所望されるコンテンツに関連する少なくとも１つのＭＬＣが成功裏に復号されたため、処理論理３０２はこの決定を下す。
【０１７９】
したがって、方法８００は、ハンドオフシステムの態様において使用するためのハンドオフを実行するために動作する。方法８００は、１つの実装形態だけを表し、これらの態様の範囲内のその他の実装形態が可能である点に留意されたい。
【０１８０】
図９は、ハンドオフシステムの態様において使用するために、アクティブ化されたフローにハンドオフ事象トリガを提供するための方法９００を示す。分かりやすくするために、方法９００は、本明細書において、図３に示されたハンドオフ論理３００を参照して説明される。例えば、一態様では、処理論理３０２は、下で説明される機能を実行するために、ハンドオフ論理３００を制御するための１つまたは複数のコードセットを実行する。
【０１８１】
ブロック９０２において、１つまたは複数のリアルタイムフローが成功裏にアクティブ化される。一態様では、アプリケーションは、デバイスにおいて、１つまたは複数のリアルタイムフローを獲得することを試みる。
【０１８２】
ブロック９０４において、要求される制御チャネル情報が局所的に記憶されているかどうかについて決定が下される。一態様では、処理論理３０２は、この要求された制御チャネル情報が局所的に記憶されているかどうかを決定するために動作する。当該制御チャネルデータが局所的に記憶されている場合、この方法はブロック９０６に進む。当該制御チャネルデータが局所的に記憶されていない場合、この方法はブロック９０８に進む。
【０１８３】
ブロック９０６において、新しくアクティブ化されたフローを運んでいるＲＦチャネルに切り替えるための切替が（必要な場合）実行される。一態様では、処理論理３０２は、新しくアクティブ化されたフローを運んでいるＲＦチャネルに切り替えるためにチャネル切替論理３１０を制御する。デバイスの現在のＲＦが、新しくアクティブ化されたフローを運んでいるＲＦである場合、ＲＦ切替は要求されないことになる。
【０１８４】
ブロック９０８において、新しいＲＦチャネルからＯＩＳ情報および制御チャネル情報の適切なセットを獲得することが試みられる。一態様では、オーバヘッド入力論理３０６は、新しいＲＦチャネルからＯＩＳ情報および制御チャネル情報を取得する。
【０１８５】
ブロック９１０において、ＯＩＳ情報および制御チャネル情報の適切なセットが成功裏に獲得されたかどうかについて決定が下される。一態様では、処理論理３０２は、この決定を下すために動作する。当該ＯＩＳデータおよび当該制御チャネルデータが成功裏に獲得されなかった場合、この方法はブロック９１４に進む。当該ＯＩＳデータおよび当該制御チャネルデータが成功裏に獲得された場合、この方法はブロック９１２に進む。
【０１８６】
ブロック９１２において、新しいＲＦ上で新しくアクティブ化されたフローが復号される。一態様では、受信論理は、デバイスにおいて、新しくアクティブ化されたフローを復号するために動作する。
【０１８７】
ブロック９１４において、近傍のＲＦチャネル上でアクティブ化されたフローを獲得するための試みにおいて、ハンドオフ手順が実行される。一態様では、処理論理３０２は、現在のＬＯＩ内でアクティブ化されたフローを運んでいるＲＦチャネル上で当該ＯＩＳおよび当該ＣＣの獲得が失敗したため、ハンドオフ手順を実行するために動作する。一態様では、ハンドオフ手順は、図８を参照して上で説明されている。
【０１８８】
ブロック９１６において、ハンドオフが成功したかどうかについて決定が下される。一態様では、処理論理３０２がこの決定を下す。ハンドオフが成功した場合、この方法はブロック９１２に進む。ハンドオフが成功しなかった場合、この方法はブロック９１８に進む。
【０１８９】
ブロック９１８において、ハンドオフは失敗し、すべてのアクティブ化されたフローは非アクティブ化される。一態様では、処理論理３０２は、すべてのアクティブ化されたフローを非アクティブ化するために動作する。
【０１９０】
ブロック９２０において、システム獲得論理が実行される。一態様では、処理論理３０２は、ハンドオフが失敗したため、当該システムを獲得するためのシステム獲得論理を開始するために動作する。
【０１９１】
したがって、方法９００は、ハンドオフシステムの態様において使用するために、アクティブ化されたフローにハンドオフ事象トリガを提供することを実行するために動作する。方法９００は、１つの実装形態だけを表し、これらの態様の範囲内のその他の実装形態が可能である点に留意されたい。
【０１９２】
図１０は、ハンドオフシステムの態様において使用するために、アクティブ化されたフローにハンドオフ事象トリガを提供するための方法１０００を示す。分かりやすいように、方法１０００は、本明細書において、図３に示されたハンドオフ論理３００を参照して説明される。例えば、一態様では、処理論理３０２は、下で説明される機能を実行するために、ハンドオフ論理３００を制御するための１つまたは複数のコードセットを実行する。
【０１９３】
ブロック１００２において、デバイスは、現在、現在のＲＦチャネル上でアクティブ化されたフローを復号している。
【０１９４】
ブロック１００４において、アクティブ化されたフローに関連するすべてのＭＬＣに関するデータ獲得が失敗したかどうか、または現在のＲＦチャネル上でＯＩＳ獲得が失敗したかどうかを決定するための決定が下される。一態様では、処理論理３０２がこの決定を下す。ＭＬＣの失敗およびＯＩＳの失敗が存在しない場合、この方法はブロック１００２に進む。アクティブ化されたフローに関連するすべてのＭＬＣの失敗またはＯＩＳ獲得の失敗が存在する場合、この方法はブロック１００６に進む。
【０１９５】
ブロック１００６において、アクティブ化されたフローへのハンドオフ手順が実行される。例えば、ＯＩＳおよびアクティブ化されたフローを成功裏に獲得する目的で、新しい近傍のＲＦチャネルにハンドオフするために、図８で説明されたハンドオフ手順が実行される。
【０１９６】
ブロック１００８において、ハンドオフが成功したかどうかについて決定が下される。一態様では、処理論理３０２がこの決定を下す。ハンドオフが成功した場合、この方法はブロック１０１０に進む。ハンドオフが成功しなかった場合、この方法はブロック１０１２に進む。
【０１９７】
ブロック１０１０において、新しいＲＦチャネルからアクティブ化されたフローが復号される。一態様では、このデバイスは、新しいＲＦチャネルにハンドオフされており、そのＲＦチャネルからアクティブ化されたフローを獲得することが可能である。
【０１９８】
ブロック１０１２において、ハンドオフは失敗し、すべてのアクティブ化されたフローが非アクティブ化される。一態様では、処理論理３０２は、異なるＲＦチャネルへのハンドオフが成功しなかったため、アクティブ化されたフローを非アクティブ化するために動作する。
【０１９９】
ブロック１０１４において、システム獲得論理が実行される。一態様では、処理論理３０２は、ハンドオフが失敗したため、当該システムを獲得するためのシステム獲得論理を開始するために動作する。
【０２００】
したがって、方法１０００は、ハンドオフシステムの態様において使用するために、アクティブ化されたフローにハンドオフ事象トリガを提供することを実行するために動作する。方法１０００は、１つの実装形態だけを表し、これらの態様の範囲内のその他の実装形態が可能である点に留意されたい。
【０２０１】
図１１は、ハンドオフシステムの態様において使用するために、登録されたフローにハンドオフトリガ事象を提供するための方法１１００を示す。一態様では、方法１１００は、登録されたフローに関するデータ獲得の失敗の場合、ハンドオフを開始する。登録されたフローに関するデータ獲得手順（ＤＡＰ）の詳細な説明は提示されず、かかるデータ獲得手順の特定の実施形態は、本明細書で説明される様々な実施形態の方法および装置の動作にとって必須ではない点に留意されたい。しかし、登録されたフローに関するデータ獲得手順の例は、上で参照された出願（２００７年４月４日に出願された、「ｍｅｔｈｏｄｓ  ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」という表題の仮出願第６０／９１０，１９１号、および２００７年６月２０日に出願された、「Ｍｅｔｈｏｄｓ  Ａｎｄ  Ａｐｐａｒａｔｕｓ  ｆｏｒ  Ｐｒｏｖｉｄｉｎｇ  Ｆｌｏｗ  Ｄａｔａ  Ａｃｑｕｉｓｉｔｉｏｎ  Ｐｒｉｏｒｉｔｙ  Ｓｃｈｅｍｅ  ｉｎ  ａ  Ｍｕｌｔｉｐｌｅ  Ｆｒｅｑｕｅｎｃｙ  Ｎｅｔｗｏｒｋ」という表題の仮出願第６０／９４５，３１７号）において見出すことが可能である。一態様では、処理論理３０２は、下で説明される機能を実行するために、ハンドオフ論理３００を制御するための１つまたは複数のコードセットを実行する。
【０２０２】
ブロック１１０２において、要求される制御チャネル情報が局所的に記憶されているかどうかについて決定が下される。一態様では、処理論理３０２は、この決定を下すために動作する。要求される制御チャネル情報が局所的に記憶されている場合、この方法はブロック１１０４に進む。制御チャネル情報が局所的に記憶されていない場合、この方法はブロック１１０８に進む。
【０２０３】
ブロック１１０４において、それに関してデータが獲得されることになる登録されたフローを備えるフローグループ（ＦＧ）が、それらのランク順序でＤＡＰ＿ＦＧ［．．］リスト内に記憶される。登録されたフローデータを獲得するために、最高のランクのＦＧ（ＤＡＰ＿ＧＦ［０］）が選択される。一態様では、処理論理３０２は、これらの動作を実行するために動作する。処理論理３０２は、選択されたＦＧ内の登録されたフローに、同じＲＦチャネル上で運ばれるその他の登録されたフローを加えたフローに関してフローデータを獲得することを試みるために動作する。
【０２０４】
ブロック１１０６において、選択されたフローグループを運んでいるＲＦへの切替が（要求される場合）実行される。一態様では、処理論理３０２は、選択されたＦＧを運んでいるＲＦチャネルに切り替えるためにチャネル切替論理３１０を制御する。デバイスの現在のＲＦがその選択されたＦＧを運んでいるＲＦである場合、ＲＦ切替は要求されないことになる。
【０２０５】
ブロック１１０８において、新しいＲＦチャネル上でＯＩＳ情報および制御チャネル情報の適切なセットを獲得することが試みられる。一態様では、オーバヘッド入力論理３０６は、新しいＲＦチャネルから当該ＯＩＳ情報および当該制御チャネル情報を取得する。
【０２０６】
ブロック１１１０において、当該ＯＩＳ情報および当該制御チャネル情報の獲得が成功したかどうかについて決定が下される。一態様では、当該ＯＩＳ情報および当該制御チャネル情報の獲得が成功した場合、この方法はブロック１１１２に進む。当該ＯＩＳ情報および当該制御チャネル情報の獲得が成功しなかった場合、この方法はブロック１１１４に進む。
【０２０７】
ブロック１１１２において、ＤＡＰ手順の実行は、登録されたフローに関連するデータを引き続き獲得する。一態様では、処理論理３０２は、ＤＡＰ手順を引き続き実行するために動作する。
【０２０８】
ブロック１１１４において、選択されたＦＧ内の登録されたフローに関してハンドオフ手順が実行される。例えば、選択されたＦＧ内の登録されたフローに関するデータを取得することを試みる際に新しい近傍のＲＦチャネルにハンドオフするために、図８で説明されたハンドオフ手順が実行される。
【０２０９】
ブロック１１１６において、ハンドオフが成功したかどうかについて決定が下される。ハンドオフが成功した場合、この方法はブロック１１１２に進む。ハンドオフが成功しなかった場合、この方法はブロック１１１８に進む。
【０２１０】
ブロック１１１８において、現在のＲＦチャネル上で運ばれるすべてのフローグループは、ＤＡＰフローグループリストから除去される。一態様では、処理論理３０２は、ＤＡＰフローグループリストからＦＧを除去するために動作する。
【０２１１】
ブロック１１２０において、ＤＡＰフローグループリスト内にそれ以上のフローグループが残っているかどうかについて決定が下される。一態様では、処理論理３０２は、この決定を下すために動作する。一態様では、ＤＡＰフローグループリスト内にそれ以上のフローグループが残っている場合、この方法はブロック１１０４に進む。ＤＡＰフローグループリスト内にそれ以上のフローグループが残っていない場合、この方法はブロック１１２２に進む。
【０２１２】
ブロック１１２２において、ＤＡＰフローグループリストは、すべての計算されたフローグループにリセットされる。一態様では、処理論理３０２は、ＤＡＰフローグループリストをリセットするために動作する。
【０２１３】
ブロック１１２４において、選択された時間間隔の後で、ＯＩＳ、ＣＣ、およびＦＧに関するフローデータの獲得が再度試みられることが可能であるように、ＯＩＳ情報の監視がスケジュールされる。
【０２１４】
したがって、方法１１００は、ハンドオフシステムの態様において使用するために、登録されたフローにハンドオフ事象トリガを提供するために動作する。方法１１００は、１つの実装形態だけを表し、これらの態様の範囲内のその他の実装形態が可能である点に留意されたい。
【０２１５】
図１２は、ハンドオフシステムの態様において使用するために、登録されたフローにハンドオフトリガ事象を提供するための方法１２００を示す。一態様では、方法１２００は、登録されたフローに関するデータ獲得の失敗の場合にハンドオフを開始する。一態様では、処理論理３０２は、下で説明される機能を実行するために、ハンドオフ論理３００を制御するための１つまたは複数のコードセットを実行する。
【０２１６】
ブロック１２０２において、デバイスは、現在、現在のＲＦ上で選択されたフローグループに関連する登録されたフローを復号している。当該デバイスはまた、現在のＲＦ上で運ばれるその他のＦＧに関連する登録されたフローも復号する。
【０２１７】
ブロック１２０４において、選択されたＦＧ内の登録されたフローに関連するすべてのＭＬＣに関するデータ獲得が失敗したかどうか、または現在のＲＦ上のＯＩＳ獲得が失敗したかどうかを決定するための決定が下される。一態様では、処理論理３０２がこの決定を下す。ＭＬＣの失敗およびＯＩＳの失敗が存在しない場合、この方法はブロック１２０２に進む。選択されたＦＧ内の登録されたフローに関連するすべてのＭＬＣの失敗、またはＯＩＳ獲得の失敗が存在する場合、この方法はブロック１２０６に進む。
【０２１８】
ブロック１２０６において、選択されたＦＧ内の登録されたフローに関してハンドオフ手順が実行される。例えば、選択されたＦＧ内でＯＩＳおよび登録されたフローを成功裏に獲得する目的で新しい近傍のＲＦチャネルにハンドオフするために、図８で説明されたハンドオフ手順が実行される。
【０２１９】
ブロック１２０８において、ハンドオフが成功したかどうかについて決定が下される。一態様では、処理論理３０２がこの決定を下す。ハンドオフが成功した場合、この方法はブロック１２１０に進む。ハンドオフが成功しなかった場合、この方法はブロック１２１２に進む。
【０２２０】
ブロック１２１２において、現在のＲＦチャネル上で運ばれるすべてのフローグループは、ＤＡＰフローグループリストから除去される。一態様では、処理論理３０２は、ＤＡＰフローグループリストからＦＧを除去するために動作する。
【０２２１】
ブロック１２１４において、ＤＡＰフローグループリスト内にそれ以上のフルーグループが残っているかどうかについて決定が下される。一態様では、処理論理３０２は、この決定を下すために動作する。それ以上のフローグループが残っている場合、この方法は、ＤＡＰ手順の実行を開始するためにブロック１２１６に進む。ＤＡＰフローグループリスト内にそれ以上のフローグループが残っていない場合、この方法はブロック１２１８に進む。
【０２２２】
ブロック１２１６において、ＤＡＰフローグループリスト内に残された追加のフローグループに関するデータを獲得するために、ＤＡＰ手順が実行される。
【０２２３】
ブロック１２１８において、ＤＡＰフローグループリストは、すべての計算されたフローグループをリストアップするためにリセットされる。一態様では、処理論理３０２は、ＤＡＰフローグループリストをリセットするために動作する。
【０２２４】
ブロック１２２０において、選択された時間間隔の後に、ＯＩＳ、ＣＣ、およびＦＧに関するフローデータの獲得が再度試みられることが可能であるように、ＯＩＳ情報の監視がスケジュールされる。
【０２２５】
したがって、方法１２００は、ハンドオフシステムの態様において使用するために、登録されたフローにハンドオフ事象トリガを提供するために動作する。方法１２００は、１つの実装形態だけを表し、これらの態様の範囲内のその他の実装形態が可能である点に留意されたい。
【０２２６】
図１５は、ハンドオフシステムの態様において使用するためのハンドオフ論理１５００を示す。例えば、ハンドオフ論理１５００は、図３に示されたハンドオフ論理３００として使用するのに適している。一態様では、ハンドオフ論理１５００は、本明細書で説明されるハンドオフシステムの態様を実現するように構成された１つまたは複数のモジュールを備える少なくとも１つの集積回路によって実施される。例えば、一態様では、それぞれのモジュールは、ハードウェアおよび／またはソフトウェアを実行しているハードウェアを備える。
【０２２７】
ハンドオフ論理１５００は、現在のＬＯＩ内で多重化のうちの１つまたは複数を運んでいる近傍のＲＦチャネルを備える、現在のＬＯＩ内で運ばれる多重化に関するシームレスハンドオフテーブルおよび部分的シームレスハンドオフテーブルを生成するための手段（１５０２）を備える第１のモジュールを備え、それは一態様では、処理論理３０２を備える。ハンドオフ論理１５００は、現在のＲＦ上で獲得の失敗によって開始されたハンドオフ事象を検出するための手段（１５０４）を備える第２のモジュールも備え、それは一態様では、処理論理３０２を備える。ハンドオフ論理１５００は、シームレスハンドオフテーブルおよび部分的シームレスハンドオフテーブルから選択されたＲＦチャネルを選択するための手段（１５０６）を備える第３のモジュールも備え、それは一態様では、処理論理３０２を備える。ハンドオフ論理１５００は、選択されたＲＦチャネルへのハンドオフを実行するための手段（１５０８）を備える第４のモジュールも備え、それは一態様では、チャネル切替論理３１０を備える。
【０２２８】
コンテンツ保存ハンドオフ
一態様では、コンテンツ保存ハンドオフが提供され、当該ハンドオフシステムは、現在のＬＯＩ内で運ばれるのと同じ多重化のセットまたはスーパーセットを運んでいる、近傍のＬＯＩ内の水平ＲＦにハンドオフするために動作する。コンテンツ保存ハンドオフの後、古いＬＯＩ内で利用可能なコンテンツは新しいＬＯＩ内でも利用可能であるというという意味で、コンテンツは保存される。例えば、広域＋局所シームレスハンドオフは、新しいＲＦに関連するＬＯＩが古いＬＯＩと少なくとも同じ広域コンテンツ多重化および局所コンテンツ多重化のセットを運ぶ、コンテンツ保存ハンドオフの特殊な事例である。コンテンツ保存ハンドオフは、デバイスが現在のＬＯＩと少なくとも同じコンテンツを運ぶ近傍のＬＯＩに移動し、新しいＬＯＩ内で運ばれるＲＦチャネルに関してより良好な信号強度を提供することを可能にする。これは、多重周波数ネットワークにおけるコンテンツデータ獲得の成功の可能性を全体的に改善する。
【０２２９】
一態様では、デバイスにおいて、以下のハンドオフ条件が満たされる場合、ハンドオフシステムはコンテンツ保存ハンドオフを実行する。
【０２３０】
１．デバイスは、１つまたは複数のＲＦ上で上位層から１つまたは複数のフローを登録させる。
【０２３１】
２．デバイスは、任意のアクティブ化されたリアルタイムフローを有さない。
【０２３２】
３．デバイスは、任意の登録されたフローをアクティブに復号していない（すなわち、登録されたフローはすべて、現在ブロードキャストされていない）。
【０２３３】
４．デバイスは、現在のＬＯＩ内に少なくとも１つの良好なＲＦ（それに関して、ＯＩＳ獲得が成功したＲＦ）を有する。
【０２３４】
５．デバイスは、現在のＬＯＩ内に少なくとも１つの不良なＲＦ（それに関して、ＯＩＳ獲得が成功しなかったＲＦ）を有するか、または選択された良好なＲＦしきい値（Ｇｏｏｄ＿ＲＦ＿Ｔｈｒｅｓｈ）未満のＲＳＳＩを備えた少なくとも１つの良好なＲＦ（それに関して、ＯＩＳ獲得が成功したＲＦ）を有する。
【０２３５】
一態様では、このハンドオフシステムは、コンテンツ保存ハンドオフを提供することが可能な近接のＬＯＩのリストを維持する。このコンテンツ保存（ＣＰ）ＬＯＩは、当該デバイスの現在のＬＯＩのコンテンツと少なくとも同じセットを運ぶＬＯＩである。一態様では、このハンドオフシステムは、ＣＰ  ＬＯＩ内で（現在のＬＯＩと）同じコンテンツを運んでいるＲＦのセットが、現在のＬＯＩ内のＲＦよりも全体としてより良好な信号強度を有する場合、コンテンツ保存ハンドオフを実行する。別の態様では、このハンドオフシステムは、現在の時間から選択された時間ウィンドウ期間（time window duration）までに、登録されたフローデータのうちのいずれかのブロードキャストが開始していない場合だけ、コンテンツ保存ハンドオフを実行する。これは、登録されたフローデータのブロードキャストが、選択された時間ウィンドウ期間内に開始する場合、そのブロードキャストがコンテンツ保存ハンドオフによって割り込まれないことを確実にする。適切なＣＰ近接のＬＯＩが存在しない場合、コンテンツ保存ハンドオフは実行されない。コンテンツ保存ハンドオフを提供することによって、このハンドオフシステムは以下の特徴を実現するために動作する。
【０２３６】
１．新しいＬＯＩ内のＲＦは、現在のＬＯＩ内のＲＦよりも全体としてより良好な信号強度を有するため、登録されたフローおよびアクティブフローに関するフローデータ獲得全体の成功の可能性を高める。
【０２３７】
２．現在のＬＯＩが、Ｇｏｏｄ＿ＲＦ＿Ｔｈｒｅｓｈ未満のＲＳＳＩを備えた良好なＲＦを有する場合、コンテンツ保存ハンドオフは、これらのＲＦに関する成功裏のデータ受信の可能性を改善することが可能である。
【０２３８】
３．現在のＬＯＩが、それに関してＯＩＳ獲得が失敗した不良なＲＦを有する場合、コンテンツ保存ハンドオフは、これらの不良なＲＦに関する成功裏のデータ受信の可能性を改善することが可能である。
【０２３９】
図１６は、ハンドオフシステムの態様において使用するために適用可能な例示的なコンテンツ保存ハンドオフテーブル１６００を示す。一態様では、このコンテンツ保存ハンドオフテーブル１６００は、処理論理３０２によって生成される。このコンテンツ保存ハンドオフテーブルは、デバイスの現在のＬＯＩに関する近傍のＣＰ  ＬＯＩに関係するデータを含む。コンテンツ保存ハンドオフテーブル１６００は、多重周波数ネットワーク内のデバイスの現在のＬＯＩに関する特定のＣＰ  ＬＯＩを識別するＬＯＩ識別子１６０２を備える。コンテンツ保存ハンドオフテーブル１６００は、ＬＯＩ識別子１６０２によって識別された特定のＣＰ  ＬＯＩ内のＲＦに関連する重み値全体を示す、重みの合計識別子１６０４も含み得る。コンテンツ保存ハンドオフテーブル１６００は、ＬＯＩ識別子１６０２によって識別された特定のＣＰ  ＬＯＩ内で利用可能な広域多重化および局所多重化の総数を示す多重化の総数指示子１６０６も備える。このテーブル１６００は、現在のＬＯＩに関連する情報も同様に含むように設計される点に留意されたい。現在のＬＯＩに関連する情報は、コンテンツ保存ハンドオフが実行されるべきかどうかを決定するために使用される。
【０２４０】
一態様では、コンテンツ保存テーブル１６００内で識別されたそれぞれのＣＰ  ＬＯＩ内で（現在のＬＯＩと）同じ多重化を運んでいるＲＦには、次のように重みが割り当てられる。
【０２４１】
１．選択されたＲＦの場合、ＲＳＳＩ＞Ｇｏｏｄ＿ＲＦ＿Ｔｈｒｅｓｈである場合、重みは１に等しく設定され、そうでない場合、重みはゼロに等しく設定される、
２．重みは広域多重化および局所多重化に関して別々に割り当てられる。したがって、ＣＰ  ＬＯＩ内でＲＳＳＩ＞Ｇｏｏｄ＿ＲＦ＿Ｔｈｒｅｓｈを有し、現在のＬＯＩと同じ広域コンテンツ多重化および局所コンテンツ多重化を運ぶＲＦには、２（広域多重化に対して１および局所多重化に対して１）に等しい重みが割り当てられる。
【０２４２】
重みの合計識別子１６０４は、ＣＰ  ＬＯＩ内で（現在のＬＯＩと）同じコンテンツ多重化を運ぶそれぞれのＲＦに割り当てられた重みを合算することによって、特定のＣＰ  ＬＯＩに関して計算される。
【０２４３】
このコンテンツ保存ＬＯＩには、コンテンツ保存ハンドオフテーブル１６００内に含まれた情報に基づいてランクが割り当てられる。デバイスの現在のＬＯＩは、このコンテンツ保存ハンドオフテーブル内にも記入項を有し、その他のＣＰ  ＬＯＩとしてランクが割り当てられる点に留意されたい。このコンテンツ保存ＬＯＩは、コンテンツ保存ハンドオフを実行するために、それらのランク順序で検査される。一態様では、このハンドオフシステムは、以下の基準に基づいて、ＣＰ  ＬＯＩおよび現在のＬＯＩにランクを割り当てる。
【０２４４】
１．より高い重みの合計を有するＬＯＩにより高いランクが割り当てられる。
【０２４５】
２．同じ総重みを有する複数のＬＯＩには、それらのＬＯＩ内で運ばれる広域多重化および局所多重化の総数に基づいてランクが割り当てられる。より多い総数の多重化を運んでいるＬＯＩにより高いランクが割り当てられる。
【０２４６】
一態様では、このハンドオフシステムは、それに関して、テーブル１６００内で識別されたＬＯＩのランク順序に基づいてコンテンツ保護ハンドオフが実行されるＬＯＩを決定するために動作する。近傍のＣＰ  ＬＯＩが現在のＬＯＩよりもより高いランクを有することが決定された場合、コンテンツ保存ハンドオフが実行される。このハンドオフシステムは、最高のランクを有する近傍のＣＰ  ＬＯＩを用いて、コンテンツ保存ハンドオフの試みを開始する。このコンテンツ保存ハンドオフは、現在のＬＯＩ内の現在のＲＦと同じ広域コンテンツ多重化および／または局所コンテンツ多重化を運んでいる、選択されたＣＰ  ＬＯＩ内のシームレスＲＦに対して実行される。近傍のＬＯＩ内で利用可能な多重化に応じて、テーブル１６００は、任意のＣＰ  ＬＯＩを含まなくてよい点に留意されたい。これは、いずれの近傍のＬＯＩも現在のＬＯＩと同じセットの広域多重化および局所多重化を運ばない場合に発生することになる。この場合、コンテンツ保存ハンドオフは実行されないことになる。
【０２４７】
図１７は、ハンドオフシステムの態様において使用するためのコンテンツ保存ハンドオフを提供するための例示的な方法１７００を示す。一態様では、処理論理３０２は、下で説明される機能を実行するために、ハンドオフ論理３００を制御するための１つまたは複数のコードセットを実行する。
【０２４８】
ブロック１７０２において、選択されたコンテンツ保存ハンドオフ条件が満たされているかどうかについて決定が下される。一態様では、この選択されたコンテンツ保存ハンドオフ条件は、上で説明されるようなものである。このコンテンツ保存ハンドオフ条件が満たされている場合、この方法はブロック１７０４に進む。そうでない場合、この方法は終了する。
【０２４９】
ブロック１７０４において、このコンテンツ保存ハンドオフテーブル１６００内への包括を目指してそれらの信号強度（すなわち、ＲＳＳＩ）を決定するために現在のＣＰ  ＬＯＩおよび近傍のＣＰ  ＬＯＩに関連するＲＦが監視される。このハンドオフシステムは、コンテンツ保存ハンドオフテーブル１６００内の現在のおよびＣＰ  ＬＯＩに関する情報を計算するために信号強度値を使用する。一態様では、処理論理３０２は、この機能を実行するためにデバイスにおいて受信機を制御する。
【０２５０】
ブロック１７０６において、２番目に高いランクを有するＬＯＩがコンテンツ保存ハンドオフテーブル１６００から選択される。一態様では、処理論理３０２がこの機能を実行する。
【０２５１】
ブロック１７０８において、選択されたＬＯＩが現在のＬＯＩと異なるかどうかについて決定が下される。選択されたＬＯＩが現在のＬＯＩと異なる場合、この方法はブロック１７１０に進む。選択されたＬＯＩが現在のＬＯＩと異ならない場合、この方法はブロック１７１２に進む。
【０２５２】
ブロック１７１０において、宛先ＲＦは、現在のＲＦと少なくとも同じ広域コンテンツ多重化を運んでいる、選択されたＬＯＩ内のＲＦに設定される。現在のＲＦと同じ広域コンテンツ多重化および局所コンテンツ多重化を運ぶＲＦが選択されたＬＯＩ内に存在する場合、宛先ＲＦはそのＲＦに設定される。
【０２５３】
ブロック１７１２において、コンテンツ保存ハンドオフは実行されず、この方法は終了する。
【０２５４】
ブロック１７１４において、宛先ＲＦへの切替が実行される。一態様では、処理論理３０２は、この機能を実行するためにデバイス受信機を制御する。
【０２５５】
ブロック１７１６において、広域システムおよび局所システムの獲得手順が実行される。この獲得手順の結果に基づいて、ブロック１７１８、１７２０、および１７２２で始まる３つの経路から経路が選択される。
【０２５６】
ブロック１７１８において、ＷＯＩＳの獲得が失敗して、この方法はブロック１７０６に進む。
【０２５７】
ブロック１７２０において、ＷＯＩＳの獲得は成功し、ＬＯＩＳの獲得は失敗した。この場合、この方法はブロック１７２４に進む。
【０２５８】
ブロック１７２４において、コンテンツ保存ハンドオフタイプパラメータが「広域」に設定されるかどうかについて決定が下される。このハンドオフタイプパラメータのより詳細な説明は、下で提供される。このハンドオフタイプパラメータが「広域」に設定された場合、この方法はブロック１７２６に進む。このハンドオフタイプパラメータが「広域」に設定されない場合、この方法はブロック１７０６に進む。
【０２５９】
ブロック１７２２において、ＷＯＩＳおよびＬＯＩＳの獲得は成功し、この方法はブロック１７２６に進む。
【０２６０】
ブロック１７２６において、新しいＲＦチャネル上の制御チャネルデータが獲得される。次いで、この方法は終了する。
【０２６１】
したがって、方法１７００は、ハンドオフシステムの態様において使用するためのコンテンツ保存ハンドオフを提供するために動作する。方法１７００は、１つの実装形態だけを表し、これらの態様の範囲内のその他の実装形態が可能である点に留意されたい。
【０２６２】
ＣＰハンドオフタイプの決定
様々な態様では、デバイスにおいて登録されたフローのタイプに基づいて、コンテンツ保存ハンドオフタイプ（ＣＰ＿ｈａｎｄｏｆｆ＿ｔｙｐｅ）パラメータが決定される。一態様では、現在、上位層から広域フローだけが登録されている場合、このハンドオフシステムは、ＣＰ＿ｈａｎｄｏｆｆ＿ｔｙｐｅを「広域」に設定する。別の態様では、現在、上位層から局所フローだけが登録されている場合、このハンドオフシステムは、ＣＰ＿ｈａｎｄｏｆｆ＿ｔｙｐｅを「局所」に設定する。さらに別の態様では、現在、広域フローと局所フローの両方が上位層から登録されているフローである場合、このハンドオフシステムは、ＣＰ＿ｈａｎｄｏｆｆ＿ｔｙｐｅを「広域＋局所」に設定する。
【０２６３】
図１８は、ハンドオフシステムの態様において使用するためのハンドオフ論理１８００を示す。例えば、ハンドオフ論理１８００は、図３に示されるハンドオフ論理３００として使用するのに適している。一態様では、ハンドオフ論理１８００は、本明細書で説明されたハンドオフシステムの態様を実現するように構成された１つまたは複数のモジュールを備える少なくとも１つの集積回路によって実施される。例えば、一態様では、それぞれのモジュールは、ハードウェアおよび／またはソフトウェアを実行しているハードウェアを備える。
【０２６４】
ハンドオフ論理１８００は、現在の局所オペレーションインフラストラクチャ（ＬＯＩ）と、現在のＬＯＩと少なくとも同じ広域コンテンツ多重化および局所コンテンツ多重化を運んでいる近傍のＬＯＩを備えるコンテンツ保存ハンドオフテーブルを生成するための手段（１８０２）を備える第１のモジュールを備え、それは一態様では、処理論理３０２を備える。ハンドオフ論理１８００は、コンテンツ保存ハンドオフに関するハンドオフ条件が満たされているかどうかを決定するための手段（１８０４）を備える第２のモジュールも備え、それは一態様では、処理論理３０２を備える。ハンドオフ論理１８００は、コンテンツ保存ハンドオフテーブルから選択されたＬＯＩと、その選択されたＬＯＩに関連する選択されたＲＦチャネルとを選択するための手段（１８０６）を備える第３のモジュールも備え、それは一態様では、処理論理３０２を備える。ハンドオフ論理１８００は、その選択されたＬＯＩが現在のＬＯＩと異なる場合、その選択されたＬＯＩ内の選択されたＲＦチャネルへのハンドオフを実行するための手段（１８０８）を備える第４のモジュールも備え、それは一態様では、チャネル切替論理３１０を備える。
【０２６５】
したがって、本明細書で開示される態様に関して説明された様々な例示的な論理、論理ブロック、モジュールおよび回路は、汎用プロセッサ、ディジタル信号プロセッサ（ＤＳＰ）、特定用途向け集積回路（ＡＳＩＣ）、フィールドプログラマブルゲートアレー（ＦＰＧＡ）、またはその他のプログラマブル論理素子、ディスクリートゲートもしくはトランジスタ論理、ディスクリートハードウェア構成要素、あるいは本明細書で説明された機能を実行するように設計されたそれらの任意の組合せを用いて実施または実行されることが可能である。汎用プロセッサは、マイクロプロセッサであってよいが、代替では、当該プロセッサは、任意の通常のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサ、ＤＳＰコアと共に１つもしくは複数のマイクロプロセッサ、または任意のその他のかかる構成として実施されることも可能である。
【０２６６】
本明細書で開示された態様に関して説明された方法またはアルゴリズムのステップは、ハードウェアの形で直接的に、プロセッサによって実行されるソフトウェアモジュールの形で、またはそれら２つの組合せの形で実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能なディスク、ＣＤ−ＲＯＭ、または当技術分野で知られている任意のその他の形態の記憶媒体の中に存在し得る。例示的な記憶媒体は、プロセッサが当該記憶媒体から情報を読み取り、当該記憶媒体に情報を書き込むことができるように、プロセッサに結合される。代替では、記憶媒体は、当該プロセッサと一体であってよい。プロセッサおよび記憶媒体は、ＡＳＩＣ内に存在し得る。ＡＳＩＣはユーザ端末内に存在し得る。代替では、プロセッサおよび記憶媒体は、ユーザ端末内のディスクリート構成要素として存在し得る。
【０２６７】
開示された態様の説明は、任意の当業者が本発明を実施または使用することを可能にするために提供される。これらの態様に対する様々な修正は、当業者に容易に明らかになり得、本明細書で定義された一般原理は、本発明の精神もしくは範囲から逸脱せずに、その他の態様、例えば、インスタントメッセージングサービスまたは任意の一般的な無線データ通信アプリケーションに適用され得る。したがって、本発明は、本明細書で示された態様に限定されることが意図されず、本明細書で開示された原理および新規性のある特徴と一致する最大幅の範囲が与えられるべきである。「例示的な」という用語は、「例、事例、または例示としての機能を果たす」ことを意味するために、本明細書において排他的に使用される。本明細書で「例示的な」として説明された態様は、その他の態様に勝って好ましいまたは有利であると解釈されるとは限らない。
【０２６８】
したがって、ハンドオフシステムの態様が本明細書において例示および説明されているものの、それらの精神または必須の特徴から逸脱せずに、様々な変化がこれらの態様に加えられ得る点を理解されよう。したがって、本明細書における開示および説明は、特許請求の範囲に記載される本発明の範囲の限定ではなく、本発明の例示であることが意図される。
【図１】
2010531123.tif 000004
【図２】
2010531123.tif 000005
【図３】
2010531123.tif 000006
【図４】
2010531123.tif 000007
【図５】
2010531123.tif 000008
【図６】
2010531123.tif 000009
【図７】
2010531123.tif 000010
【図８】
2010531123.tif 000011
【図９】
2010531123.tif 000012
【図１０】
2010531123.tif 000013
【図１１】
2010531123.tif 000014
【図１２】
2010531123.tif 000015
【図１３】
2010531123.tif 000016
【図１４】
2010531123.tif 000017
【図１５】
2010531123.tif 000018
【図１６】
2010531123.tif 000019
【図１７】
2010531123.tif 000020
【図１８】
2010531123.tif 000021
【国際調査報告】
2010531123.tif 000022
2010531123.tif 000023
2010531123.tif 000024